(57)【要約】      （修正有）【課題】識別用の色を備えていることにより、物品などに巻きつけて当該物品などを梱包、包装する使用時に、いかなる物品が梱包、包装されているのかを識別することが容易になる包装用ストレッチフィルム。このような包装用ストレッチフィルムの巻体で、使用時に、巻体から簡単に剥がして引き出すことができる包装用ストレッチフィルムの巻体とその巻き取り製造方法。【解決手段】無色透明な２枚の極薄の第一の包装用ストレッチフィルムと第二の包装用ストレッチフィルムとの間に第一、第二の包装用ストレッチフィルムと同材質で、極薄の色付帯フィルムが挟み込まれてなる包装用ストレッチフィルム５４であって、着色部５２が、当該長手方向に直交する横手方向の一部に形成されている包装用ストレッチフィルム。包装用ストレッチフィルムの巻体５１であって、空気層が前記包装用ストレッチフィルムの横手方向で複数存在している包装用ストレッチフィルムの巻体。【選択図】図３
2019151403.tif 000002
【特許請求の範囲】
【請求項１】
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムが挟み込まれてなる包装用ストレッチフィルムであって、前記色付帯フィルムによって形成されている長手方向に伸びる着色部が、当該長手方向に直交する横手方向の一部に形成されている包装用ストレッチフィルム。
【請求項２】
前記着色部は、前記包装用ストレッチフィルムの長手方向に直線状に伸びている請求項１記載の包装用ストレッチフィルム。
【請求項３】
前記着色部は、前記包装用ストレッチフィルムの長手方向に屈曲しながら伸びている請求項１記載の包装用ストレッチフィルム。
【請求項４】
前記着色部は、前記横手方向において間隔を空けている複数個所に形成されている請求項１乃至３のいずれか一項に記載の包装用ストレッチフィルム。
【請求項５】
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムが挟み込まれてなる包装用ストレッチフィルムであって、
前記色付帯フィルムによって形成されている長手方向に伸びる着色部が前記第三の包装用ストレッチフィルムにおける前記横手方向の一部に形成されている包装用ストレッチフィルム。
【請求項６】
前記着色部は、前記包装用ストレッチフィルムの長手方向に直線状に伸びている請求項５記載の包装用ストレッチフィルム。
【請求項７】
前記着色部は、前記包装用ストレッチフィルムの長手方向に屈曲しながら伸びている請求項５記載の包装用ストレッチフィルム。
【請求項８】
前記着色部は、前記第三の包装用ストレッチフィルムにおける前記横手方向において間隔を空けている複数個所に形成されている請求項５乃至請求項７のいずれか一項に記載の包装用ストレッチフィルム。
【請求項９】
前記第三の包装用ストレッチフィルムは白色を呈する請求項５乃至請求項８のいずれか一項に記載の包装用ストレッチフィルム。
【請求項１０】
無色透明な１枚の極薄の第一の包装用ストレッチフィルムに、有色で前記第一の包装用ストレッチフィルムよりも横手方向における幅が小さく極薄な１枚の第四の包装用ストレッチフィルムが積層され、前記第一の包装用ストレッチフィルムと前記第四の包装用ストレッチフィルムとの間が部分的に溶着されていることで前記第四の包装用ストレッチフィルムによって形成されている長手方向に伸びる着色部が当該長手方向に直交する横手方向の一部に形成されている包装用ストレッチフィルム。
【請求項１１】
前記着色部は、前記包装用ストレッチフィルムの長手方向に直線状に伸びている請求項１０記載の包装用ストレッチフィルム。
【請求項１２】
前記着色部は、前記包装用ストレッチフィルムの長手方向に屈曲しながら伸びている請求項１０記載の包装用ストレッチフィルム。
【請求項１３】
前記着色部は、前記横手方向において間隔を空けている複数個所に形成されている請求項１０乃至１２のいずれか一項に記載の包装用ストレッチフィルム。
【請求項１４】
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムが挟み込まれてなる包装用ストレッチフィルムであって、
前記色付帯フィルムによって形成されている長手方向に伸びる着色部が、当該長手方向に直交する横手方向の一部に形成されていると共に、
当該包装用ストレッチフィルムを形成する前記第一、第二の包装用ストレッチフィルムの長手方向に連続している肉厚の異なる部分が前記第一、第二の包装用ストレッチフィルムの横手方向に複数形成されている、あるいは、前記長手方向に断続して形成される肉厚の異なる部分が前記第一、第二の包装用ストレッチフィルムの横手方向に複数成形されている
包装用ストレッチフィルム。
【請求項１５】
前記着色部は、前記包装用ストレッチフィルムの長手方向に直線状に伸びている請求項１４記載の包装用ストレッチフィルム。
【請求項１６】
前記着色部は、前記包装用ストレッチフィルムの長手方向に屈曲しながら伸びている請求項１４記載の包装用ストレッチフィルム。
【請求項１７】
前記着色部は、前記横手方向において間隔を空けている複数個所に形成されている請求項１４乃至１６のいずれか一項に記載の包装用ストレッチフィルム。
【請求項１８】
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムが挟み込まれてなる包装用ストレッチフィルムであって、
前記色付帯フィルムによって形成されている長手方向に伸びる着色部が前記第三の包装用ストレッチフィルムにおける前記横手方向の一部に形成されていると共に、
当該包装用ストレッチフィルムの長手方向に連続している肉厚の異なる部分が前記包装用ストレッチフィルムの横手方向に複数形成されている、あるいは、前記長手方向に断続して形成される肉厚の異なる部分が前記包装用ストレッチフィルムの横手方向に複数成形されている
包装用ストレッチフィルム。
【請求項１９】
前記着色部は、前記包装用ストレッチフィルムの長手方向に直線状に伸びている請求項１８記載の包装用ストレッチフィルム。
【請求項２０】
前記着色部は、前記包装用ストレッチフィルムの長手方向に屈曲しながら伸びている請求項１８記載の包装用ストレッチフィルム。
【請求項２１】
前記着色部は、前記第三の包装用ストレッチフィルムにおける前記横手方向において間隔を空けている複数個所に形成されている請求項１８乃至請求項２０のいずれか一項に記載の包装用ストレッチフィルム。
【請求項２２】
前記第三の包装用ストレッチフィルムは白色を呈する請求項１８乃至請求項２１のいずれか一項に記載の包装用ストレッチフィルム。
【請求項２３】
無色透明な１枚の極薄の第一の包装用ストレッチフィルムに、有色で前記第一の包装用ストレッチフィルムよりも横手方向における幅が小さく極薄な１枚の第四の包装用ストレッチフィルムが積層され、前記第一の包装用ストレッチフィルムと前記第四の包装用ストレッチフィルムとの間が部分的に溶着されていることで前記第四の包装用ストレッチフィルムによって形成されている長手方向に伸びる着色部が当該長手方向に直交する横手方向の一部に形成されている包装用ストレッチフィルムであって、
当該包装用ストレッチフィルムの長手方向に連続している肉厚の異なる部分が前記包装用ストレッチフィルムの横手方向に複数形成されている、あるいは、前記長手方向に断続して形成される肉厚の異なる部分が前記包装用ストレッチフィルムの横手方向に複数成形されている
包装用ストレッチフィルム。
【請求項２４】
前記着色部は、前記包装用ストレッチフィルムの長手方向に直線状に伸びている請求項２３記載の包装用ストレッチフィルム。
【請求項２５】
前記着色部は、前記包装用ストレッチフィルムの長手方向に屈曲しながら伸びている請求項２３記載の包装用ストレッチフィルム。
【請求項２６】
前記着色部は、前記横手方向において間隔を空けている複数個所に形成されている請求項２３乃至２５のいずれか一項に記載の包装用ストレッチフィルム。
【請求項２７】
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む、挟込み工程、
引き続いて一軸方向又は二軸方向への延伸加工を行って前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
延伸工程後、ロール状に巻き取る工程
を備えている包装用ストレッチフィルムの製造方法。
【請求項２８】
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取る工程
を備えている包装用ストレッチフィルムの製造方法。
【請求項２９】
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いてロール状に巻き取る工程
を備えている包装用ストレッチフィルムの製造方法。
【請求項３０】
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む挟込み工程、
引き続いて一軸方向又は二軸方向への延伸加工を行って前記第一、第二の包装用ストレッチフィルムの長手方向に連続している肉厚の異なる部分を前記第一、第二の包装用ストレッチフィルムの横手方向に複数、あるいは、前記長手方向に断続して形成される肉厚の異なる部分を前記第一、第二の包装用ストレッチフィルムの横手方向に複数成形すると共に、前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
前記延伸工程後、ロール状に巻き取る工程
を備えている包装用ストレッチフィルムの製造方法。
【請求項３１】
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一、第三の包装用ストレッチフィルムの長手方向に連続している肉厚の異なる部分を前記第一、第三の包装用ストレッチフィルムの横手方向に複数形成、あるいは、前記長手方向に断続して形成される肉厚の異なる部分を前記第一、第三の包装用ストレッチフィルムの横手方向に複数成形すると共に、前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取る工程
を備えている包装用ストレッチフィルムの製造方法。
【請求項３２】
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いて一軸方向又は二軸方向への延伸加工を行って、前記横手方向に直交している長手方向に連続している肉厚の異なる部分を前記横手方向に複数、あるいは、前記長手方向に断続して形成される肉厚の異なる部分を前記横手方向に複数成形する延伸工程、
前記延伸工程後、ロール状に巻き取る工程
を備えている包装用ストレッチフィルムの製造方法。
【請求項３３】
包装用ストレッチフィルムがロール状に巻かれてなる包装用ストレッチフィルムの巻体であって、
請求項１４乃至請求項２６のいずれか一項に記載の包装用ストレッチフィルムが、
積層されて巻層を形成するフィルム同士の間に、前記包装用ストレッチフィルムの長手方向に連続している空気層が前記包装用ストレッチフィルムの横手方向で複数、あるいは、前記長手方向で断続的に形成されている空気層が前記包装用ストレッチフィルムの横手方向で複数存在している
包装用ストレッチフィルムの巻体。
【請求項３４】
前記空気層は、前記包装用ストレッチフィルムが、その長手方向に連続して、あるいは、前記長手方向に断続的に、肉厚の異なる部分を、前記包装用ストレッチフィルムの横手方向で複数備えていることで形成されている請求項３３記載の包装用ストレッチフィルムの巻体。
【請求項３５】
包装用ストレッチフィルムをロール状に巻き取る包装用ストレッチフィルムの巻体の巻き取り製造方法であって、
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む挟込み工程、
引き続いて一軸方向又は二軸方向への延伸加工を行って前記第一、第二の包装用ストレッチフィルムの長手方向に連続している肉厚の異なる部分を前記第一、第二の包装用ストレッチフィルムの横手方向に複数、あるいは、前記長手方向に断続して形成される肉厚の異なる部分を前記第一、第二の包装用ストレッチフィルムの横手方向に複数成形すると共に、前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
前記延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【請求項３６】
包装用ストレッチフィルムをロール状に巻き取る包装用ストレッチフィルムの巻体の巻き取り製造方法であって、
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一、第三の包装用ストレッチフィルムの長手方向に連続している肉厚の異なる部分を前記第一、第三の包装用ストレッチフィルムの横手方向に複数形成、あるいは、前記長手方向に断続して形成される肉厚の異なる部分を前記第一、第三の包装用ストレッチフィルムの横手方向に複数成形すると共に、前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【請求項３７】
包装用ストレッチフィルムをロール状に巻き取る包装用ストレッチフィルムの巻体の巻き取り製造方法であって、
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いて一軸方向又は二軸方向への延伸加工を行って、前記横手方向に直交している長手方向に連続している肉厚の異なる部分を前記横手方向に複数、あるいは、前記長手方向に断続して形成される肉厚の異なる部分を前記横手方向に複数成形する延伸工程、
前記延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【請求項３８】
前記一軸方向又は二軸方向への延伸加工を行って前記第一、第二の包装用ストレッチフィルムの長手方向に連続している肉厚の異なる部分を前記第一、第二の包装用ストレッチフィルムの横手方向に複数形成する工程は、前記第一、第二の包装用ストレッチフィルムの長手方向に連続している凹凸部を前記第一、第二の包装用ストレッチフィルムの横手方向に複数形成するものである
請求項３５乃至３７のいずれか一項に記載の包装用ストレッチフィルムの巻体の巻き取り製造方法。
【請求項３９】
前記一軸方向又は二軸方向への延伸加工を行って前記第一、第二の包装用ストレッチフィルムの長手方向に肉厚の異なる部分を断続して、前記第一、第二包装用ストレッチフィルムの横手方向に複数形成する工程は、前記第一の包装用ストレッチフィルムと前記第二の包装用ストレッチフィルムとの間に前記色付帯フィルムが挟み込まれている全体に対してエンボス加工を施すことで形成する
請求項３５乃至３７のいずれか一項に記載の包装用ストレッチフィルムの巻体の巻き取り製造方法。
【請求項４０】
前記一軸方向又は二軸方向への延伸加工を行って前記第一、第二の包装用ストレッチフィルムの長手方向に肉厚の異なる部分を断続して、前記第一、第二の包装用ストレッチフィルムの横手方向に複数形成する工程は、前記第一の包装用ストレッチフィルムと前記第二の包装用ストレッチフィルムとの間に前記色付帯フィルムが挟み込まれている全体に対して所定形状の押型を押圧することで形成する
請求項３５乃至３７のいずれか一項に記載の包装用ストレッチフィルムの巻体の巻き取り製造方法。
【請求項４１】
前記一軸方向又は二軸方向への延伸加工を行って前記第一、第二の包装用ストレッチフィルムの長手方向に連続している肉厚の異なる部分を、前記第一、第二の包装用ストレッチフィルムの横手方向に複数形成する工程は、前記第一の包装用ストレッチフィルムと前記第二の包装用ストレッチフィルムとの間に前記色付帯フィルムが挟み込まれている全体に対して部分的な延伸加工を施すことで形成する
請求項３５乃至３７のいずれか一項に記載の包装用ストレッチフィルムの巻体の巻き取り製造方法。
【請求項４２】
前記部分的な延伸加工は、
それぞれ外周突条部と外周溝条部とを中心軸が伸びる方向で交互に備えていて前記中心軸を中心にして回動する一対の円筒状延伸ローラが、一方の前記円筒状延伸ローラの前記外周突条部が、他方の前記円筒状延伸ローラの前記外周溝条部に噛みあう構造で配置されてなる延伸ローラに対して、
前記第一の包装用ストレッチフィルムと前記第二の包装用ストレッチフィルムとの間に前記色付帯フィルムが挟み込まれている全体が前記長手方向で挿通されることで行われる
請求項４１記載の包装用ストレッチフィルムの巻体の巻き取り製造方法。
【請求項４３】
前記一対の円筒状延伸ローラは、前記第一の包装用ストレッチフィルムと前記第二の包装用ストレッチフィルムとの間に前記色付帯フィルムが挟み込まれている全体が長手方向に挿通していく方向において、上流側と、下流側とに配置され、下流側の前記円筒状延伸ローラの方が、上流側の前記円筒状延伸ローラよりも高い周速度で回転する
請求項４１記載の包装用ストレッチフィルムの巻体の巻き取り製造方法。
【発明の詳細な説明】
【技術分野】
【０００１】
この発明は、包装用ストレッチフィルムに関する。特に、識別用の色を備えていることにより、物品などに巻きつけて当該物品などを梱包、包装する使用時に、いかなる物品が梱包、包装されているのかを識別することが容易になる包装用ストレッチフィルムとその製造方法に関する。また。このような包装用ストレッチフィルムの巻体で、使用時に、巻体から簡単に剥がして引き出すことができる包装用ストレッチフィルムの巻体とその巻き取り製造方法に関する。
【背景技術】
【０００２】
物品などの搬送時の荷崩れ防止や、型崩れ防止、あるいは物品などの保護や、防水などの目的で、物品などに巻きつけて当該物品などを梱包、包装する包装用ストレッチフィルムが従来から知られている（特許文献１）。
【０００３】
包装用ストレッチフィルムは、合成樹脂を６〜３０μｍ程度の厚み（肉厚）に製膜化した長尺フィルムである。肉厚６〜３０μｍ程度の極薄で、長尺になる長手方向の長さが３００ｍ〜５００ｍ程度、長手方向に直交する方向である横手方向の大きさ、すなわち、幅が３００ｍｍ〜５００ｍｍ程度であるのが一般的である。
【０００４】
製造方法には、ブロー成型（インフレーション成膜法）、Ｔダイ成型（キャストフィルム成型）などが使用される。また、これらの方法で製膜したフィルムを二次加工で延伸させ、薄肉化、強靭化させたフィルムであるプレストレッチ加工フィルムとする製法もある。
【０００５】
このような長尺フィルムが図１、図２図示のように、筒状の巻芯２に巻き付けられて包装用ストレッチフィルムの巻体１として市場に提供されている。筒状の巻芯としては中空で筒状の紙管やプラスチック管などが採用され、その外径の大きさは一般的に５０〜７５ｍｍ程度である。筒状の巻芯２に巻き付けた包装用ストレッチフィルムの巻体１の巻層３の厚さは、通常、最小でも１０ｍｍ程度になる。
【０００６】
図２図示のように、包装用ストレッチフィルムの巻体１から包装用ストレッチフィルム４を剥がし、引き出して使用する際には、長手方向における先端側５を固定的につかんで、テンションをかけて伸ばしながら（延伸しながら）引き出して物品に巻きつけていく。包装用ストレッチフィルムの表面は粘着性があり、テンションをかけながら巻き付けていくことにより物品が固定される。テンションをかけて伸ばしながら（延伸しながら）物品等に巻きつけることで物品等の外周に積層される包装用ストレッチフィルムの粘着性（物品等には粘着しない）により、ばらけず、伸ばした分、その残存張力で、荷崩れ防止、等の機能を発揮できる。
【０００７】
本願出願人も、巻芯の無い包装用ストレッチフィルムの巻体とその製造方法を提案したことがある（特許文献２、３）。保管中の収縮変形や輸送時や取扱い時の変形を無くし、また、嵩張らずに輸送コストを筒状の巻芯に巻き付けられている形態の包装用ストレッチフィルム巻体と同等に抑えることを目的にしたものであった。
【０００８】
包装用ストレッチフィルムの巻体は、作業者が手でフィルムを持って延伸しながら物品などに巻きつける手巻き作業での使用や、ストレッチ包装機などの機械によって延伸しながら物品などに巻きつける機械巻き作業での使用に供される。
【０００９】
手巻き作業に供される包装用ストレッチフィルムの巻体は、肉厚６〜２５μｍ、幅３００ｍｍ〜５００ｍｍ程度の長尺フィルムであることが一般的である。
【００１０】
機械巻き作業に供される包装用ストレッチフィルムの巻体は、巻き付けながら大きくは延伸させないコンベンショナルタイプの場合、肉厚１２〜２０μｍ、幅５００ｍｍ程度の長尺フィルム、巻き付ける前に大きく延伸させるプレストレッチタイプの場合、肉厚２０〜３０μｍ、幅５００ｍｍ程度の長尺フィルムであることが一般的である。
【００１１】
荷物を包装、等する資材としてはＰＰバンド、ＰＥ−テープなどが従来から使われている。これらの包装資材はそれぞれ赤色、青色、黄色、等に彩色されているのが一般的である。それぞれ色が異なるＰＰバンド、ＰＥ−テープを、梱包、包装する荷物ごとに区別して使用することで、赤色のバンドで梱包・包装されている荷物、青色のバンドで梱包・包装されている荷物、等々、梱包・包装に使用されているバンド、テープの色によって荷物の仕分け、管理を行うことが可能になる。
【００１２】
そこで、赤色、青色、黄色、等複数の標準色に彩色されている梱包・包装用のＰＰバンド、ＰＥ−テープなどを用いて、工場、生産、物量の仕分け、ロット管理などが行われている。
【００１３】
一方、包装用ストレッチフィルムは上述したように物品などに巻きつけて当該物品などを梱包、包装する際に使用され、しかも、物品に何回も巻きつけられて、何重にも積層される。そこで、包装用ストレッチフィルムの全体に彩色を施しているものは、従来、使用されないのが一般的であった。梱包、包装された物品が見えなくなるおそれがあるからである。
【００１４】
また、そもそも、包装用ストレッチフィルムは上述したように肉薄であることから着色剤、顔料などを用いて彩色を施すことが困難であった。粉体の着色剤、顔料は凝集する性質があり、分散剤を添加する必要があるが、薄い層に添加するとピンホールができて、成形時にフィルムが切れてしまうおそれがある。このため、着色剤や、顔料を混入して彩色しようとすると、フィルムが厚くなってしまうという問題がある。
【００１５】
また、薄肉フィルムを彩色するときの押出機と金型内で、内部の顔料を完全に抜き去るには大量の主原料で置換することが必要で、そのため時間、歩留りロスが大きく、ストレッチフィルムの生産としては、大きな問題がある。
【００１６】
一般的な装置は透明２〜４ｍ幅で成型するため一部の面に色のラインがでるとすべてスクラップとなり、大量のロスとなる。
【００１７】
これらの問題から、従来、包装用ストレッチフィルムは全体が無職透明であるのが一般的であった。
【先行技術文献】
【特許文献】
【００１８】
【特許文献１】実開昭６３−１２３５６３号公報
【特許文献２】特開２００４−１３１１６９号公報
【特許文献３】特開２００４−１３７０７３号公報
【特許文献４】特開平３−２２６４１４号公報
【非特許文献】
【００１９】
【非特許文献１】「手結束材、手で結ぶソフトロープを考える」（鈴木健一）「包装技術  ＪＰＩ  Ｊｏｕｒｎａｌ  ２０１６年４月  公益社団法人日本包装技術協会  ５０頁〜５５頁」
【発明の概要】
【発明が解決しようとする課題】
【００２０】
包装用ストレッチフィルムは、主原料として使用される直鎖状低密度ポリエチレン樹脂（ＬＬＤＰＥ）の技術開発、等と、伸びやすく、成型性に優れていることなどから、ここ２０〜２５年の間に一気に汎用化された。
【００２１】
更に、ＬＬＤＰＥ樹脂は、メタロセン触媒の開発により、ｍ−ＬＬＤＰＥとも呼ばれる、更なる特徴を持った樹脂としてこの技術分野で使用されるようになり、包装用ストレッチフィルムが市場で多く使用されるようになっている。
【００２２】
上述したように、従来、包装用ストレッチフィルムは全体が無職透明であるのが一般的であったが、物品などに巻きつけて当該物品などを梱包、包装するように使用される際に、識別に使用する目印としての色を備えているようになれば、工場、生産、物量の仕分け、ロット管理などを容易に行うことができるようになるので便利である。
【００２３】
また、包装用ストレッチフィルムは、非常に伸びやすい延伸性、優れた強靭性（強度性）、裂けづらい性質（優れた引き裂き強度、パンクチャ―強度）を有していることから、その薄肉化が進んでいる。
【００２４】
特に、急激に使用量が増加したことから産業廃棄物としての処理の問題や、環境対策、更には、製造コストの観点などから近年では薄肉化が一層進んでいる。
【００２５】
一方、フィルムの薄肉化が進むと、ストレッチフィルムは粘着性を有するため剥がしにくく、剥がして引き出すことが難しくなる。
【００２６】
また、フィルムの薄肉化によって剥がれづらいだけでなく、筒状の巻芯２に巻き付けたロール状の包装用ストレッチフィルムの巻体の側縁部の傷、ダメージなどにより、引き出して使用する際に破断しやすくなる。
【００２７】
また、筒状の巻き芯に巻きつけたロール状の包装用ストレッチフィルムの巻体の場合、中心となる巻き芯の径（５０〜７５ｍｍ程度）に比較して、幅が３００ｍｍ〜５００ｍｍと大きいので、フィルムの薄肉化が進むと、完全に引き出すのに時間を要するようになる。
【００２８】
そこで、この発明は、識別用の色を備えていることにより、物品などに巻きつけて当該物品などを梱包、包装する使用時に、いかなる物品が梱包、包装されているのかを識別することが容易になる包装用ストレッチフィルムを提供することを目的にしている。
【００２９】
また、このような包装用ストレッチフィルムの巻体で、使用時に、巻体から簡単に剥がして引き出すことができる包装用ストレッチフィルムの巻体とその巻き取り製造方法を提案することを目的にしている。
【課題を解決するための手段】
【００３０】
［１］
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムが挟み込まれてなる包装用ストレッチフィルムであって、前記色付帯フィルムによって形成されている長手方向に伸びる着色部が、当該長手方向に直交する横手方向の一部に形成されている包装用ストレッチフィルム。
【００３１】
［２］
前記着色部は、前記包装用ストレッチフィルムの長手方向に直線状に伸びている［１］の包装用ストレッチフィルム。
【００３２】
［３］
前記着色部は、前記包装用ストレッチフィルムの長手方向に屈曲しながら伸びている［１］の包装用ストレッチフィルム。
【００３３】
［４］
前記着色部は、前記横手方向において間隔を空けている複数個所に形成されている［１］乃至［３］のいずれかに記載の包装用ストレッチフィルム。
【００３４】
［５］
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムが挟み込まれてなる包装用ストレッチフィルムであって、
前記色付帯フィルムによって形成されている長手方向に伸びる着色部が前記第三の包装用ストレッチフィルムにおける前記横手方向の一部に形成されている包装用ストレッチフィルム。
【００３５】
［６］
前記着色部は、前記包装用ストレッチフィルムの長手方向に直線状に伸びている［５］の包装用ストレッチフィルム。
【００３６】
［７］
前記着色部は、前記包装用ストレッチフィルムの長手方向に屈曲しながら伸びている［５］の包装用ストレッチフィルム。
【００３７】
［８］
前記着色部は、前記第三の包装用ストレッチフィルムにおける前記横手方向において間隔を空けている複数個所に形成されている［５］乃至［７］のいずれかの包装用ストレッチフィルム。
【００３８】
［９］
前記第三の包装用ストレッチフィルムは白色を呈する［５］乃至［８］のいずれかの包装用ストレッチフィルム。
【００３９】
［１０］
無色透明な１枚の極薄の第一の包装用ストレッチフィルムに、有色で前記第一の包装用ストレッチフィルムよりも横手方向における幅が小さく極薄な１枚の第四の包装用ストレッチフィルムが積層され、前記第一の包装用ストレッチフィルムと前記第四の包装用ストレッチフィルムとの間が部分的に溶着されていることで前記第四の包装用ストレッチフィルムによって形成されている長手方向に伸びる着色部が当該長手方向に直交する横手方向の一部に形成されている包装用ストレッチフィルム。
【００４０】
［１１］
前記着色部は、前記包装用ストレッチフィルムの長手方向に直線状に伸びている［１０］の包装用ストレッチフィルム。
【００４１】
［１２］
前記着色部は、前記包装用ストレッチフィルムの長手方向に屈曲しながら伸びている［１０］の包装用ストレッチフィルム。
【００４２】
［１３］
前記着色部は、前記横手方向において間隔を空けている複数個所に形成されている［１０］乃至［１２］のいずれかの包装用ストレッチフィルム。
【００４３】
［１４］
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムが挟み込まれてなる包装用ストレッチフィルムであって、
前記色付帯フィルムによって形成されている長手方向に伸びる着色部が、当該長手方向に直交する横手方向の一部に形成されていると共に、
当該包装用ストレッチフィルムを形成する前記第一、第二の包装用ストレッチフィルムの長手方向に連続している肉厚の異なる部分が前記第一、第二の包装用ストレッチフィルムの横手方向に複数形成されている、あるいは、前記長手方向に断続して形成される肉厚の異なる部分が前記第一、第二の包装用ストレッチフィルムの横手方向に複数成形されている
包装用ストレッチフィルム。
【００４４】
［１５］
前記着色部は、前記包装用ストレッチフィルムの長手方向に直線状に伸びている［１４］の包装用ストレッチフィルム。
【００４５】
［１６］
前記着色部は、前記包装用ストレッチフィルムの長手方向に屈曲しながら伸びている［１４］の包装用ストレッチフィルム。
【００４６】
［１７］
前記着色部は、前記横手方向において間隔を空けている複数個所に形成されている［１４］乃至［１６］のいずれかの包装用ストレッチフィルム。
【００４７】
［１８］
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムが挟み込まれてなる包装用ストレッチフィルムであって、
前記色付帯フィルムによって形成されている長手方向に伸びる着色部が前記第三の包装用ストレッチフィルムにおける前記横手方向の一部に形成されていると共に、
当該包装用ストレッチフィルムの長手方向に連続している肉厚の異なる部分が前記包装用ストレッチフィルムの横手方向に複数形成されている、あるいは、前記長手方向に断続して形成される肉厚の異なる部分が前記包装用ストレッチフィルムの横手方向に複数成形されている
包装用ストレッチフィルム。
【００４８】
［１９］
前記着色部は、前記包装用ストレッチフィルムの長手方向に直線状に伸びている［１８］の包装用ストレッチフィルム。
【００４９】
［２０］
前記着色部は、前記包装用ストレッチフィルムの長手方向に屈曲しながら伸びている［１８］の包装用ストレッチフィルム。
【００５０】
［２１］
前記着色部は、前記第三の包装用ストレッチフィルムにおける前記横手方向において間隔を空けている複数個所に形成されている［１８］乃至［２０］のいずれかの包装用ストレッチフィルム。
【００５１】
［２２］
前記第三の包装用ストレッチフィルムは白色を呈する［１８］乃至［２１］のいずれかの包装用ストレッチフィルム。
【００５２】
［２３］
無色透明な１枚の極薄の第一の包装用ストレッチフィルムに、有色で前記第一の包装用ストレッチフィルムよりも横手方向における幅が小さく極薄な１枚の第四の包装用ストレッチフィルムが積層され、前記第一の包装用ストレッチフィルムと前記第四の包装用ストレッチフィルムとの間が部分的に溶着されていることで前記第四の包装用ストレッチフィルムによって形成されている長手方向に伸びる着色部が当該長手方向に直交する横手方向の一部に形成されている包装用ストレッチフィルムであって、
当該包装用ストレッチフィルムの長手方向に連続している肉厚の異なる部分が前記包装用ストレッチフィルムの横手方向に複数形成されている、あるいは、前記長手方向に断続して形成される肉厚の異なる部分が前記包装用ストレッチフィルムの横手方向に複数成形されている
包装用ストレッチフィルム。
【００５３】
［２４］
前記着色部は、前記包装用ストレッチフィルムの長手方向に直線状に伸びている［２３］の包装用ストレッチフィルム。
【００５４】
［２５］
前記着色部は、前記包装用ストレッチフィルムの長手方向に屈曲しながら伸びている［２３］の包装用ストレッチフィルム。
【００５５】
［２６］
前記着色部は、前記横手方向において間隔を空けている複数個所に形成されている［２２］乃至［２５］のいずれかの包装用ストレッチフィルム。
【００５６】
［２７］
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む、挟込み工程、
引き続いて一軸方向又は二軸方向への延伸加工を行って前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
延伸工程後、ロール状に巻き取る工程
を備えている包装用ストレッチフィルムの製造方法。
【００５７】
［２８］
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取る工程
を備えている包装用ストレッチフィルムの製造方法。
【００５８】
［２９］
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いてロール状に巻き取る工程
を備えている包装用ストレッチフィルムの製造方法。
【００５９】
［３０］
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む挟込み工程、
引き続いて一軸方向又は二軸方向への延伸加工を行って前記第一、第二の包装用ストレッチフィルムの長手方向に連続している肉厚の異なる部分を前記第一、第二の包装用ストレッチフィルムの横手方向に複数、あるいは、前記長手方向に断続して形成される肉厚の異なる部分を前記第一、第二の包装用ストレッチフィルムの横手方向に複数成形すると共に、前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
前記延伸工程後、ロール状に巻き取る工程
を備えている包装用ストレッチフィルムの製造方法。
【００６０】
［３１］
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一、第三の包装用ストレッチフィルムの長手方向に連続している肉厚の異なる部分を前記第一、第三の包装用ストレッチフィルムの横手方向に複数形成、あるいは、前記長手方向に断続して形成される肉厚の異なる部分を前記第一、第三の包装用ストレッチフィルムの横手方向に複数成形すると共に、前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取る工程
を備えている包装用ストレッチフィルムの製造方法。
【００６１】
［３２］
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いて一軸方向又は二軸方向への延伸加工を行って、前記横手方向に直交している長手方向に連続している肉厚の異なる部分を前記横手方向に複数、あるいは、前記長手方向に断続して形成される肉厚の異なる部分を前記横手方向に複数成形する延伸工程、
前記延伸工程後、ロール状に巻き取る工程
を備えている包装用ストレッチフィルムの製造方法。
【００６２】
［３３］
包装用ストレッチフィルムがロール状に巻かれてなる包装用ストレッチフィルムの巻体であって、
［１４］乃至［２６］のいずれかの包装用ストレッチフィルムが、
積層されて巻層を形成するフィルム同士の間に、前記包装用ストレッチフィルムの長手方向に連続している空気層が前記包装用ストレッチフィルムの横手方向で複数、あるいは、前記長手方向で断続的に形成されている空気層が前記包装用ストレッチフィルムの横手方向で複数存在している
包装用ストレッチフィルムの巻体。
【００６３】
［３４］
前記空気層は、前記包装用ストレッチフィルムが、その長手方向に連続して、あるいは、前記長手方向に断続的に、肉厚の異なる部分を、前記包装用ストレッチフィルムの横手方向で複数備えていることで形成されている［３３］の包装用ストレッチフィルムの巻体。
【００６４】
［３５］
包装用ストレッチフィルムをロール状に巻き取る包装用ストレッチフィルムの巻体の巻き取り製造方法であって、
無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む挟込み工程、
引き続いて一軸方向又は二軸方向への延伸加工を行って前記第一、第二の包装用ストレッチフィルムの長手方向に連続している肉厚の異なる部分を前記第一、第二の包装用ストレッチフィルムの横手方向に複数、あるいは、前記長手方向に断続して形成される肉厚の異なる部分を前記第一、第二の包装用ストレッチフィルムの横手方向に複数成形すると共に、前記第一の包装用ストレッチフィルムと前記第二の包装用ストレッチフィルムとの間に前記色付帯フィルムが挟み込まれている全体の肉厚を、少なくとも前記第一の包装用ストレッチフィルムの肉厚と前記第二の包装用ストレッチフィルムの肉厚との合計の半分以下に延伸する延伸工程、
前記延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【００６５】
［３６］
包装用ストレッチフィルムをロール状に巻き取る包装用ストレッチフィルムの巻体の巻き取り製造方法であって、
無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程、
引き続いて一軸方向又は二軸方向への延伸加工を行って前記第一、第三の包装用ストレッチフィルムの長手方向に連続している肉厚の異なる部分を前記第一、第三の包装用ストレッチフィルムの横手方向に複数形成、あるいは、前記長手方向に断続して形成される肉厚の異なる部分を前記第一、第三の包装用ストレッチフィルムの横手方向に複数成形すると共に、前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する延伸工程、
延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【００６６】
［３７］
包装用ストレッチフィルムをロール状に巻き取る包装用ストレッチフィルムの巻体の巻き取り製造方法であって、
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層する工程、
引き続いて前記第一の包装用ストレッチフィルムと前記第四の包装用ストレッチフィルムとの間を部分的に溶着する工程、
引き続いて一軸方向又は二軸方向への延伸加工を行って、前記横手方向に直交している長手方向に連続している肉厚の異なる部分を前記横手方向に複数、あるいは、前記長手方向に断続して形成される肉厚の異なる部分を前記横手方向に複数成形する延伸工程、
前記延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させる工程
を備えている包装用ストレッチフィルムの巻体の巻き取り製造方法。
【００６７】
［３８］
前記一軸方向又は二軸方向への延伸加工を行って前記第一、第二の包装用ストレッチフィルムの長手方向に連続している肉厚の異なる部分を前記第一、第二の包装用ストレッチフィルムの横手方向に複数形成する工程は、前記第一、第二の包装用ストレッチフィルムの長手方向に連続している凹凸部を前記第一、第二の包装用ストレッチフィルムの横手方向に複数形成するものである
［３５］乃至［３７］のいずれかの包装用ストレッチフィルムの巻体の巻き取り製造方法。
【００６８】
［３９］
前記一軸方向又は二軸方向への延伸加工を行って前記第一、第二の包装用ストレッチフィルムの長手方向に肉厚の異なる部分を断続して、前記第一、第二包装用ストレッチフィルムの横手方向に複数形成する工程は、前記第一の包装用ストレッチフィルムと前記第二の包装用ストレッチフィルムとの間に前記色付帯フィルムが挟み込まれている全体に対してエンボス加工を施すことで形成する
［３５］乃至［３７］のいずれかの包装用ストレッチフィルムの巻体の巻き取り製造方法。
【００６９】
［４０］
前記一軸方向又は二軸方向への延伸加工を行って前記第一、第二の包装用ストレッチフィルムの長手方向に肉厚の異なる部分を断続して、前記第一、第二の包装用ストレッチフィルムの横手方向に複数形成する工程は、前記第一の包装用ストレッチフィルムと前記第二の包装用ストレッチフィルムとの間に前記色付帯フィルムが挟み込まれている全体に対して所定形状の押型を押圧することで形成する
［３５］乃至［３７］のいずれかの包装用ストレッチフィルムの巻体の巻き取り製造方法。
【００７０】
［４１］
前記一軸方向又は二軸方向への延伸加工を行って前記第一、第二の包装用ストレッチフィルムの長手方向に連続している肉厚の異なる部分を、前記第一、第二の包装用ストレッチフィルムの横手方向に複数形成する工程は、前記第一の包装用ストレッチフィルムと前記第二の包装用ストレッチフィルムとの間に前記色付帯フィルムが挟み込まれている全体に対して部分的な延伸加工を施すことで形成する
［３５］乃至［３７］のいずれかの包装用ストレッチフィルムの巻体の巻き取り製造方法。
【００７１】
［４２］
前記部分的な延伸加工は、
それぞれ外周突条部と外周溝条部とを中心軸が伸びる方向で交互に備えていて前記中心軸を中心にして回動する一対の円筒状延伸ローラが、一方の前記円筒状延伸ローラの前記外周突条部が、他方の前記円筒状延伸ローラの前記外周溝条部に噛みあう構造で配置されてなる延伸ローラに対して、
前記第一の包装用ストレッチフィルムと前記第二の包装用ストレッチフィルムとの間に前記色付帯フィルムが挟み込まれている全体が前記長手方向で挿通されることで行われる
［４１］の包装用ストレッチフィルムの巻体の巻き取り製造方法。
【００７２】
［４３］
前記一対の円筒状延伸ローラは、前記第一の包装用ストレッチフィルムと前記第二の包装用ストレッチフィルムとの間に前記色付帯フィルムが挟み込まれている全体が長手方向に挿通していく方向において、上流側と、下流側とに配置され、下流側の前記円筒状延伸ローラの方が、上流側の前記円筒状延伸ローラよりも高い周速度で回転する
［４１］の包装用ストレッチフィルムの巻体の巻き取り製造方法。
【発明の効果】
【００７３】
この発明によれば、識別用の色を備えていることにより、物品などに巻きつけて当該物品などを梱包、包装する使用時に、いかなる物品が梱包、包装されているのかを識別することが容易になる包装用ストレッチフィルムを提供することができる。
【００７４】
また。このような包装用ストレッチフィルムの巻体で、使用時に、巻体から簡単に剥がして引き出すことができる包装用ストレッチフィルムの巻体とその巻き取り製造方法を提供することができる。
【図面の簡単な説明】
【００７５】
【図１】従来の包装用ストレッチフィルムの巻体の一例を説明する正面図。
【図２】従来の包装用ストレッチフィルムの巻体からフィルムを剥がして、引き出して使用する状態を説明する一部を省略した斜視図。
【図３】（ａ）本発明の一実施形態の包装用ストレッチフィルムがロール状に巻かれて巻体になっている一例を説明する正面図、（ｂ）フィルムを剥がして、引き出して使用する状態を説明する正面図。
【図４】（ａ）本発明の他の一実施形態の包装用ストレッチフィルムがロール状に巻かれて巻体になっている一例を説明する正面図、（ｂ）フィルムを剥がして、引き出して使用する状態を説明する正面図。
【図５】（ａ）本発明の更に他の一実施形態の包装用ストレッチフィルムがロール状に巻かれて巻体になっている一例を説明する正面図、（ｂ）フィルムを剥がして、引き出して使用する状態を説明する正面図。
【図６】本発明の一実施形態の包装用ストレッチフィルムを製造する工程を説明する一部を省略した概念図。
【図７】（ａ）本発明の更に他の一実施形態の包装用ストレッチフィルムがロール状に巻かれて巻体になっている一例を説明する正面図、（ｂ）フィルムを剥がして、引き出して使用する状態を説明する一部を省略した斜視図。
【図８】（ａ）本発明の更に他の一実施形態の包装用ストレッチフィルムがロール状に巻かれて巻体になっている一例を説明する正面図、（ｂ）フィルムを剥がして、引き出して使用する状態を説明する一部を省略した斜視図。
【図９】本発明の図７、図８の実施形態に係る包装用ストレッチフィルムの巻体において、積層されて巻層を形成している包装用ストレッチフィルムの外周（外径）側の構造を説明する一部を省略した概略断面図。
【図１０】本発明の他の包装用ストレッチフィルムの製造方法の一実施形態及び、本発明の包装用ストレッチフィルムの巻体の巻き取り製造方法の一実施形態の工程を説明する概念図であって（ａ）は平面図、（ｂ）はこれに対応している側面図。
【図１１】本発明の他の包装用ストレッチフィルムの製造方法の一実施形態及び、本発明の包装用ストレッチフィルムの巻体の巻き取り製造方法の一実施形態において延伸工程で採用される一対の延伸ロールの一実施形態を一部を省略して説明する図。
【図１２】（ａ）、（ｂ）、（ｃ）は、本発明の他の包装用ストレッチフィルムの製造方法の一実施形態及び、本発明の包装用ストレッチフィルムの巻体の巻き取り製造方法の一実施形態において延伸工程がエンボス加工で行われる場合の一対の延伸ロールの一実施形態を一部を省略して説明する図。
【図１３】（ａ）、（ｂ）は、本発明の他の包装用ストレッチフィルムの製造方法の一実施形態及び、本発明の包装用ストレッチフィルムの巻体の巻き取り製造方法の一実施形態において延伸工程がエンボスギヤ加工で行われる場合の一対の延伸ロールの一実施形態を一部を省略して説明する図。
【図１４】（ａ）本発明の他の施形態の包装用ストレッチフィルムがロール状に巻かれて巻体になっている一例を説明する正面図、（ｂ）フィルムを剥がして、引き出して使用する状態を説明する正面図。
【図１５】（ａ）本発明の他の実施形態の包装用ストレッチフィルムがロール状に巻かれて巻体になっている一例を説明する正面図、（ｂ）フィルムを剥がして、引き出して使用する状態を説明する正面図。
【図１６】（ａ）本発明の更に他の実施形態の包装用ストレッチフィルムがロール状に巻かれて巻体になっている一例を説明する正面図、（ｂ）フィルムを剥がして、引き出して使用する状態を説明する正面図。
【図１７】本発明の他の実施形態の包装用ストレッチフィルムを製造する工程を説明する一部を省略した概念図。
【図１８】無色透明な１枚の極薄の第一の包装用ストレッチフィルムに、有色で第一の包装用ストレッチフィルムよりも横手方向における幅が小さく極薄な１枚の第四の包装用ストレッチフィルムを積層し、その上から加熱媒体を当てて部分的に有色の第四の包装用ストレッチフィルムを溶着することで本発明の包装用ストレッチフィルムを製造する場合における溶着工程を説明する概念図。
【図１９】部分溶着工程で使用される加熱ローラの構造の一例を説明する概念図。
【図２０】部分溶着工程を説明する一部を省略した断面図。
【発明を実施するための形態】
【００７６】
（包装用ストレッチフィルムの実施形態１）
図３（ａ）、（ｂ）は、この実施形態の包装用ストレッチフィルム５４を表すものである。
【００７７】
極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、包装用ストレッチフィルム５４が、円筒状の中空の巻き芯２に、ロール状に巻かれてなる、包装用ストレッチフィルムの巻体５１が図３（ａ）に図示されている。
【００７８】
この実施形態の包装用ストレッチフィルム５４は、包装用ストレッチフィルム５４の長手方向に伸びる着色部５２が、長手方向に直交する横手方向の一部に形成されているものである。着色部５２以外の部分は、従来の包装用ストレッチフィルムと同じく無色透明である。
【００７９】
図３（ｂ）図示のように、長手方向における先端側５５を固定的につかんで、包装用ストレッチフィルムの巻体５１から包装用ストレッチフィルム５４を剥がし、引き出して使用し、物品などに巻きつけて当該物品などを梱包、包装すると、識別用の着色部５２が存在していることにより、いかなる物品が梱包、包装されているのか識別することができる。
【００８０】
この際、着色部５２は、包装用ストレッチフィルム５４の横手方向の一部にしか形成されておらず、着色部５２以外の部分は無色透明である。そこで、物品に何回も巻きつけられて、何重にも積層され、当該物品を梱包、包装する場合であっても、着色部５２以外の無色透明部分を介して、梱包、包装された物品を外部から視認することができる。
【００８１】
図３図示の実施形態では、着色部５２は、包装用ストレッチフィルム５４の長手方向に直線状に伸びており、長尺ストレッチフィルム５４の横手方向の中央部に形成されている。物品などに巻きつけて当該物品などを梱包、包装する使用時に識別色として利用できればよいので、長尺ストレッチフィルム５４の横手方向で、端縁側に着色部５２を形成してもよい。
【００８２】
図５図示の実施形態では、着色部５６は、包装用ストレッチフィルム５４の長手方向に屈曲しながら伸びており、長尺ストレッチフィルム５４の横手方向の中央部に形成されている。物品などに巻きつけて当該物品などを梱包、包装する使用時に識別色として利用できればよいので、長尺ストレッチフィルム５４の横手方向で、端縁側に着色部５６を形成してもよい。
【００８３】
図４図示の実施形態では、着色部５３ａ、５３ｂが、長尺ストレッチフィルム５４の横手方向において間隔を空けている複数個所（２か所）に形成されている。図４図示の実施形態では包装用ストレッチフィルム５４の長手方向に直線状に伸びる着色部５３ａ、５３ｂが形成されている。直線状ではなく、図５図示のように、包装用ストレッチフィルム５４の長手方向に屈曲しながら伸びる２本の着色部が、長尺ストレッチフィルム５４の横手方向において間隔を空けている複数個所に形成されている形態にすることもできる。
【００８４】
この実施形態の包装用ストレッチフィルム５４は、無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムが挟み込まれてなる包装用ストレッチフィルムである。無色透明な２枚の極薄の第一の包装用ストレッチフィルムと第二の包装用ストレッチフィルムとの間に挟み込まれる極薄の色付帯フィルムによって図３、４、５に図示した着色部５２、５３ａ、５３ｂ、５６が形成される。色付帯フィルムの色としては、例えば、赤、青、緑、等、識別色としての機能を発揮できる種々の有色を採用できる。
【００８５】
無色透明な２枚の極薄の第一の包装用ストレッチフィルムも、第二の包装用ストレッチフィルムも、着色部５２、５３ａ、５３ｂ、５６となる色付帯フィルムも、同材質、例えば、いずれも、直鎖状低密度ポリエチレン樹脂（ＬＬＤＰＥ）製や、ｍ−ＬＬＤＰＥと樹脂製など、従来の包装用ストレッチフィルムの製造に使用されているものとすることができる。
【００８６】
上述したように、包装用ストレッチフィルム５４の幅が３００ｍｍ〜５００ｍｍ程度であるときに、着色部５２、５３ａ、５３ｂ、５６となる色付帯フィルムの幅は、着色部が包装用ストレッチフィルム５４の横手方向の一部に形成されているようにし、また、識別色としての役割を発揮できるように、例えば、横幅８０〜１００ｍｍ程度にすることができる。
【００８７】
上記に替えて、この実施形態の包装用ストレッチフィルム５４は、無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、前記第一の包装用ストレッチフィルムと前記第四の包装用ストレッチフィルムとの間が部分的に溶着されていることで前記第四の包装用ストレッチフィルムによって形成されている長手方向に伸びる着色部が当該長手方向に直交する横手方向の一部に形成されている形態にして製造することもできる。前記において、第一の包装用ストレッチフィルムへの第四の包装用ストレッチフィルムの積層は、例えば、第一の包装用ストレッチフィルムに第四の包装用ストレッチフィルムを貼り合わせる形態にすることができる。
【００８８】
無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、その上から、加熱媒体を当てて、部分的に、有色の第四の包装用ストレッチフィルムを溶着するものである。この部分的な溶着は、横方向において部分的に行うことで、延伸させて使用するときにはがれない程度に部分溶着するものである。
【００８９】
例えば、有色の第四の包装用ストレッチフィルムの横方向サイズ（幅）が５０ｍｍの場合、約５ｍｍ幅を溶融させ、長手方向で連続的に融着させるものである。
【００９０】
（包装用ストレッチフィルムの実施形態２）
図１４（ａ）、（ｂ）は、この実施形態の包装用ストレッチフィルム１５４を表すものである。
【００９１】
極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、包装用ストレッチフィルム１５４が、円筒状の中空の巻き芯２に、ロール状に巻かれてなる、包装用ストレッチフィルムの巻体１５１が図示されている。
【００９２】
この実施形態の包装用ストレッチフィルム１５４は、包装用ストレッチフィルム１５４の長手方向に伸びる第一の着色部１５３が、包装用ストレッチフィルム１５４の長手方向に直交する横手方向の一部に形成されているとともに、包装用ストレッチフィルム１５４の長手方向に伸びる第二の着色部１５２が、包装用ストレッチフィルム１５４の長手方向に伸びる第一の着色部１５３の長手方向に直交する横手方向の一部に形成されているものである。
【００９３】
第二の着色部１５２の色は、第一の着色部１５３の色とは異なる色になっている。例えば、第一の着色部１５３の色は白色、第二の着色部１５２の色は赤色である。これによって色のコントラストを良くすることができる。第一の着色部１５３及び第二の着色部１５２以外の部分は、従来の包装用ストレッチフィルムと同じく無色透明である。
【００９４】
図１４（ｂ）図示のように、長手方向における先端側５５を固定的につかんで、包装用ストレッチフィルムの巻体１５１から包装用ストレッチフィルム１５４を剥がし、引き出して使用し、物品などに巻きつけて当該物品などを梱包、包装すると、識別用の第一の着色部１５３と、第二の着色部１５２とが存在していることにより、いかなる物品が梱包、包装されているのか識別することができる。
【００９５】
この際、第二の着色部１５２は、第一の着色部１５３の横手方向の一部にしか形成されておらず、なおかつ、第一の着色部１５３は、包装用ストレッチフィルム５４の横手方向の一部にしか形成されていない。そして、第一の着色部１５３及び第二の着色部１５２以外の部分は無色透明である。そこで、物品に何回も巻きつけられて、何重にも積層され、当該物品を梱包、包装する場合であっても、第一の着色部１５３及び第二の着色部１５２以外の無色透明部分を介して、梱包、包装された物品を外部から視認することができる。
【００９６】
また、第二の着色部１５２の色が、第一の着色部１５３の色とは異なる色になっている、例えば、第一の着色部１５３の色は白色で、第二の着色部１５２の色が赤色である。これにより、第一の着色部１５３の横手方向の一部に形成されている第二の着色部１５２の色を明確に視認することができる。
【００９７】
そこで、第二の着色部１５２の色によって、包装用ストレッチフィルム１５４が巻き付けられて梱包されている物品の識別を行うことがより容易になる。
【００９８】
図１４図示の実施形態では、横手方向の一部に第二の着色部１５２が形成されている第一の着色部１５３は、包装用ストレッチフィルム１５４の長手方向に直線状に伸びており、長尺ストレッチフィルム１５４の横手方向の中央部に形成されている。物品などに巻きつけて当該物品などを梱包、包装する使用時に識別色として利用できればよいので、横手方向の一部に第二の着色部１５２が形成されている第一の着色部１５３は、長尺ストレッチフィルム１５４の横手方向で、端縁側に形成されるようにしてもよい。
【００９９】
また、図示していないが、図４に図示されている着色部５３ａ、５３ｂのように、長手方向に伸びる第二の着色部１５２が横手方向における一部に形成されている第一の着色部１５３が、包装用ストレッチフィルム１５４の横手方向において間隔を空けている複数個所で長手方向に伸びるように形成されている形態にすることもできる。
【０１００】
あるいは、図示していないが、図５に図示されている着色部５６のように、長手方向に伸びる第二の着色部１５２が横手方向における一部に形成されている第一の着色部１５３が、包装用ストレッチフィルムの長手方向に屈曲しながら伸びている形態にすることもできる。
【０１０１】
図１４図示の実施形態では、第二の着色部１５２は、包装用ストレッチフィルム１５４において長手方向に直線状に伸びている第一の着色部１５３の横手方向における中央部に形成されている。第一の着色部１５３の色と、第二の着色部１５２の色とが異なることにより、上述したように、包装用ストレッチフィルム１５４が物品に巻き付けられて梱包を行った時に、梱包されている物品の識別を行うことを容易ならしめるものであるので、第二の着色部１５２は、包装用ストレッチフィルム１５４において長手方向に直線状に伸びている第一の着色部１５３の横手方向で、端縁側に形成されるようにしてもよい。
【０１０２】
あるいは、図示していないが、図５に図示されている着色部５６のように、第一の着色部１５３の横手方向における一部において長手方向に伸びている第二の着色部１５２が、第一の着色部１５３の横手方向における一部において包装用ストレッチフィルムの長手方向に屈曲しながら伸びている形態にすることもできる。
【０１０３】
図１５、図１６は、包装用ストレッチフィルム１５４において長手方向に直線状に伸びている第一の着色部１５３の横手方向における一部に形成されている第二の着色部１５２が、図１４図示の実施形態とは異なる態様で形成されている例を説明するものである。
【０１０４】
図１５図示の実施形態では、長尺ストレッチフィルム１５４の長手方向に伸びる第二の着色部１５３ａ、１５３ａが、長尺ストレッチフィルム１５４の長手方向に伸びる第一の着色部１５３の横手方向において間隔を空けている複数個所（２か所）に形成されている。
【０１０５】
図１６図示の実施形態では、長尺ストレッチフィルム１５４の長手方向に伸びる第二の着色部１５６は、長尺ストレッチフィルム１５４の長手方向に伸びる第一の着色部１５３の長手方向に屈曲しながら伸びている。
【０１０６】
この実施形態の包装用ストレッチフィルム１５４は、無色透明な極薄の第一の包装用ストレッチフィルムと、有色で第一の包装用ストレッチフィルムよりも横手方向における幅が小さく極薄な第三の包装用ストレッチフィルム（第一の着色部１５３を構成するストレッチフィルム）との間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルム（第二の着色部１５２を構成するストレッチフィルム）が挟み込まれてなる包装用ストレッチフィルムである。前記色付帯フィルム（第二の着色部１５２を構成するストレッチフィルム）によって形成されている長手方向に伸びる着色部が前記第三の包装用ストレッチフィルム（第一の着色部１５３を構成するストレッチフィルム）における前記横手方向の一部に形成されている包装用ストレッチフィルムである。
【０１０７】
無色透明な極薄の第一の包装用ストレッチフィルムも、第三の包装用ストレッチフィルム（第一の着色部１５３を構成するストレッチフィルム）も、色付帯フィルム（第二の着色部１５２を構成するストレッチフィルム）も同材質、例えば、いずれも、直鎖状低密度ポリエチレン樹脂（ＬＬＤＰＥ）製や、ｍ−ＬＬＤＰＥと樹脂製など、従来の包装用ストレッチフィルムの製造に使用されているものとすることができる。
【０１０８】
（包装用ストレッチフィルムの製造方法の実施形態１）
上述したストレッチフィルムの実施形態１で説明した包装用ストレッチフィルムは、従来から包装用ストレッチフィルムの製造に使用されている装置を用いて製造することが出来る。図６を用いてその一例を説明する。
【０１０９】
（挟込み工程）
延伸前の包装用ストレッチフィルム７１（ＬＬＤＰＥ製で肉厚１７ミクロン）の原反６１が、ブレーキ装置６３を備えている原反フィルムホルダー６５に装着されている。
【０１１０】
延伸前の極薄の色付帯フィルム７３（ＬＬＤＰＥ製で肉厚１７ミクロン）の原反６７が、がブレーキ装置６８を備えている原反フィルムホルダー６９に装着されている。
【０１１１】
延伸前の包装用ストレッチフィルム７２（ＬＬＤＰＥ製で肉厚１７ミクロン）の原反６２が、ブレーキ装置６４を備えている原反フィルムホルダー６６に装着されている。
【０１１２】
原反フィルムホルダー６５から巻き出された包装用ストレッチフィルム７１と、原反フィルムホルダー６６から巻き出された包装用ストレッチフィルム７２との間に、原反フィルムホルダー６９から巻き出された色付帯フィルム７３が挟み込まれる。
【０１１３】
ベースとなる包装用ストレッチフィルム７２は、後述する延伸工程を経て製造される包装用ストレッチフィルムが３００ｍｍ〜５００ｍｍ程度の幅になることを考慮した幅のものを用いる。包装用ストレッチフィルム７１は、色付帯フィルム７３を包装用ストレッチフィルム７２との間に挟みこむ、かぶせの役割を果たすので、前述の場合、例えば、幅１００ｍｍ程度のものを用いる。色付帯フィルム７３は、このような幅の包装用ストレッチフィルム７２と、包装用ストレッチフィルム７１との間に挟むので、少なくとも、かぶせの包装用ストレッチフィルム７１の幅よりは幅が小さい、例えば、幅５０ｍｍ程度のものを用いる。
【０１１４】
（延伸工程）
包装用ストレッチフィルム７１と包装用ストレッチフィルム７２との間に色付帯フィルム７３が挟み込まれている全体が、従来公知のロール状の圧着ロール７０で押圧され、一軸方向又は二軸方向に延伸加工される。ここでは、例えば、図１０に符号２５で図示し、後述の実施形態で説明されている一対の延伸ロールなどを用いることができる。こうして、包装用ストレッチフィルム７１と包装用ストレッチフィルム７２との間に色付帯フィルム７３が挟み込まれている全体（包装用ストレッチフィルム７４）の肉厚を、少なくとも包装用ストレッチフィルム７１の肉厚と包装用ストレッチフィルム７２の肉厚の合計の半分以下に延伸する。
【０１１５】
（巻取り工程）
引き続き、不図示の巻き取りロールによりロール状に巻き取る。
【０１１６】
上述した延伸工程で、例えば、長手方向に３倍に延伸し、これに直交する横手方向に１．５倍に延伸することで、全体（包装用ストレッチフィルム７４）の肉厚が９ミクロンの図３図示の包装用ストレッチフィルム５４を製造することができる。
【０１１７】
上述した延伸工程を経てこの実施形態の包装用ストレッチフィルム７４を製造するので、包装用ストレッチフィルム７１、包装用ストレッチフィルム７２、色付帯フィルム７３は、同等の伸び特性を備えていることが望ましい。
【０１１８】
例えば、上述したように、包装用ストレッチフィルム７１、包装用ストレッチフィルム７２、色付帯フィルム７３を同材質にすることができる。
【０１１９】
このように２枚の包装用ストレッチフィルムの間に着色部を形成する色付帯フィルムが挟み込まれている積層構造であっても、これを、一軸方向又は二軸方向に延伸し、２枚の包装用ストレッチフィルムの間に着色部を形成する色付帯フィルムが挟み込まれている積層構造の肉厚を、少なくとも２枚の包装用ストレッチフィルムの合計の肉厚の半分以下に延伸している。
【０１２０】
このように延伸することで単位当たりの強度が向上する。そこで、より肉薄の構造にすることも可能である。
【０１２１】
また、２枚の包装用ストレッチフィルムの間に着色部を形成する色付帯フィルムが挟み込まれている積層構造にして延伸する際、ロール状で圧着ロールで押圧する実施形態にすると、２枚の包装用ストレッチフィルムとこの間に挟み込まれている着色部を形成する色付帯フィルムとが完全に密着し、はがれることが無くなる。
【０１２２】
なお、原反フィルムホルダー６５に装着されている延伸前の包装用ストレッチフィルム７１も、原反フィルムホルダー６６に装着されている延伸前の包装用ストレッチフィルム７２も、従来公知の包装用ストレッチフィルムであるので、表面が粘着性を有している。
【０１２３】
そこで、着色部５２、５３ａ、５３ｂ、５６を形成する色付帯フィルム７３をそのまま添付することで着色部を備えている包装用ストレッチフィルムとすることもできる。
【０１２４】
すなわち、上述した「挟込み工程」⇒「延伸工程」⇒「巻取り工程」を経て図３図示の包装用ストレッチフィルム５４を製造するのに替えて、「延伸工程」を採用せず、包装用ストレッチフィルムの表面の粘着性を利用して、「挟込み工程」⇒「巻取り工程」で経て図３図示の包装用ストレッチフィルム５４を製造することもできる。
【０１２５】
上記では、包装用ストレッチフィルム７１と包装用ストレッチフィルム７２との間に色付帯フィルム７３を挟み込み、これを延伸して使用時にはがれることがないように加工して図３〜図５図示の実施形態の包装用ストレッチフィルムを製造していた。これに替えて、無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、その上から、加熱媒体を当てて、部分的に、有色の第四の包装用ストレッチフィルムを溶着することで図３〜図５図示の実施形態の包装用ストレッチフィルムを製造することもできる。この場合には、例えば、次のような製造工程が採用される。
【０１２６】
（積層工程）
延伸前の包装用ストレッチフィルム７２（ＬＬＤＰＥ製で肉厚１２ミクロン）の原反６２が、ブレーキ装置６４を備えている原反フィルムホルダー６６に装着されている（図１８）。
【０１２７】
延伸前の有色の包装用ストレッチフィルム８３（ＬＬＤＰＥ製で肉厚１０ミクロン）の原反８０が、ブレーキ装置８１を備えている原反フィルムホルダー８２に装着されている（図１８）。
【０１２８】
有色の包装用ストレッチフィルム８３の横手方向における幅は、包装用ストレッチフィルム７２の横手方向における幅よりも小さい。例えば、無色透明の包装用ストレッチフィルム７２の横手方向における幅が３００ｍｍで、有色の包装用ストレッチフィルム８３の横手方向における幅が５０ｍｍである。
【０１２９】
原反フィルムホルダー６６、８２から巻き出された包装用ストレッチフィルム７２と、包装用ストレッチフィルム８３とはガイドロール７０を介して熱融着ロール部へ誘導されることで張り合わされ、積層される。
【０１３０】
（部分溶着（融着）工程）
熱融着ロール部は、図１８図示の実施形態では、下側のロール８５（例えば、ロール外径：１５０ｍｍ）及び、上側のロール８４を備えていて、この下流に圧着ロール８６、８７が配備されている。
【０１３１】
下側のロール８５は、不図示のモータで駆動され、回転速度がコントロールされ、表面ゴムロールで被覆されているゴムロールあるいは、金属ロールである。回転速度は、例えば、速度：１００〜３００ｍ／分である。
【０１３２】
上側のロール８４は、下側のロール８５の上（接線）に沿って回転する加熱体であり、表面加熱されている金属ロールである。上側のロール８４はモータ駆動されないフリーヒートロールであり、加熱溶着処理を行わない場合にはエアシリンダ９３（図１９）によって上昇させ、開放状態にすることができる。
【０１３３】
モータ等で駆動することなく、接触する下側のロール８５により回転する上側のロール８４は、上述のように、無色透明の包装用ストレッチフィルム７２に対して張り合わされ、積層されて部分融着される有色の包装用ストレッチフィルム８３の横手方向における幅が５０ｍｍである場合、これに対応させてロール幅５０ｍｍのものを採用できる。外径は６０〜１００ｍｍである。
【０１３４】
図１９に例示した上側のロール８４は、内部にカートリッジヒーター８８が複数埋め込まれている。図示の実施形態では、３００ｗのカートリッジヒーター８８が、円周方向に間隔を空けた２箇所において、それぞれ、横方向に間隔を空けた２箇所、合計で４カ所に埋め込まれている。
【０１３５】
カートリッジヒーター８８は温度センサー８９を介して、有色の包装用ストレッチフィルム８３との接触部の表面温度が調整できるように構成されている。図１９では、内部に軸受ベアリング９０を有し、軸受ベアリング９０を熱から保護するため、断熱材９１を挟み込み、まわりをカートリッジヒーター８８で組み込んだ加熱金属媒体９２で囲む構造になっている。加熱金属媒体９２には熱伝道性の良い金属銅（Ｃｕ）や真鍮などが使用される。
【０１３６】
カートリッジヒーター８８が有色の包装用ストレッチフィルム８３の表面に接触する部分を狭くし、熱伝導を良くする目的で接触幅を狭くすることが望ましい。図示のように、円周方向に間隔を空けた２箇所において、それぞれ、横方向に間隔を空けた２箇所カートリッジヒーター８８を配備する場合、例えば、融着部幅３〜５ｍｍで十分剥離することなく融着可能である。
【０１３７】
また、円周方向に間隔を空けた２箇所において、１個ずつのカートリッジヒーター８８を配備する場合、有色の包装用ストレッチフィルム８３の横手方向における幅が５０ｍｍであれば、上側のロール８４の横方向における中央部に１０ｍｍ幅のカートリッジヒーター８８が配備されていれば十分剥離することなく融着可能である。
【０１３８】
圧着ロール８６、８７は融着を熟成させるロールであって、例えば、圧着ロール８６はニップロール（ゴムロール）、圧着ロール８７は金属ロール（スチールロール）である。圧着ロール８６はフリーロールとし、一方、圧着ロール８７は回転速度制御されている下側のロール８５と速度同調されている。
【０１３９】
上述したように積層（張り合わせ）された有色の包装用ストレッチフィルム８３と無色透明の包装用ストレッチフィルム７２とを、熱融着ロール部の下側のロール８５と上側のロール８４との間に通過させると、表面加熱されている上側のロール８４が適切な押し圧で有色の包装用ストレッチフィルム８３の上に接触する。これにより、下層の無色透明の包装用ストレッチフィルム７２にも熱が伝わり、表面同士に溶着が起こり、次の圧着ロール８６、８７により融着が熟成される。
【０１４０】
上述したように積層（張り合わせ）された有色の包装用ストレッチフィルム８３と無色透明の包装用ストレッチフィルム７２のフィルム通過速度が１００〜２００ｍ／分の場合、加熱ロールである上側のロール８４は６０〜８０ｍｍ外径が、調節しやすく、１６０〜２００℃で、効果的である。さらに速度アップせた２００〜３００ｍ／分の場合、加熱ロールである上側のロール８４の外径を１００〜１３０ｍｍにすることで、同じ温度範囲で、融着できる。温度が高すぎると、融着が激しく怒り、原反部に穴あき（ピンホール）現象が起こり、使用時の延伸に耐えられなく、破断することもある。通過速度、圧着力、表面温度の管理が重要である。
【０１４１】
このような部分溶着工程を経ることで、無色透明の包装用ストレッチフィルム７２に有色の包装用ストレッチフィルム８３を張り合せ、その上から、加熱媒体を当てて、部分的に、無色透明の包装用ストレッチフィルム７２と有色の包装用ストレッチフィルム８３とを延伸させて使用する時、はがれない程度に部分溶着（幅方向）が行われている包装用ストレッチフィルを製造することができる。
【０１４２】
部分的溶着（融着）としては、例えば、有色の包装用ストレッチフィルム８３の幅が５０ｍｍの場合、約幅５ｍｍを溶融させ、長手方向に連続融着させる実施形態にすることができる。
【０１４３】
（巻取り工程）
引き続き、不図示の巻き取りロールによりロール状に巻き取る。
【０１４４】
このように無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、その上から、加熱媒体を当てて、部分的に、有色の第四の包装用ストレッチフィルムを溶着（融着）することで前記第四の包装用ストレッチフィルムによって形成されている長手方向に伸びる着色部が当該長手方向に直交する横手方向の一部に形成されている図３〜図５図示の実施形態の包装用ストレッチフィルムとすると、包装用ストレッチフィルム７１と包装用ストレッチフィルム７２との間に色付帯フィルム７３を挟み込み、これを延伸して使用時にはがれることがないように加工して図３〜図５図示の実施形態の包装用ストレッチフィルムを製造する場合に比較して厚みを小さくすることが可能になる。
【０１４５】
そこで、外径あたり、１巻当たり、長く（ｍ数）巻くことができ、使用時、包装機械用としては長く巻くことにメリットがある。交換頻度の削減につながる。
【０１４６】
例えば、包装用ストレッチフィルム７１と包装用ストレッチフィルム７２との間に色付帯フィルム７３を挟み込み、これを延伸して使用時にはがれることがないように加工して図３〜図５図示の実施形態の包装用ストレッチフィルムとした場合に、２４０ｍｍ外径、１２００ｍ巻であるとすれば、このような部分溶着で図３〜図５図示の実施形態の包装用ストレッチフィルムとしたときには同じ２４０ｍｍ外径であても１６００ｍ巻にすることができる。
【０１４７】
挟み込む材料使用しないことで、軽量化が可能で、製造コストの削減が可能になる。
【０１４８】
（包装用ストレッチフィルムの製造方法の実施形態２）
上述したストレッチフィルムの実施形態２で説明した包装用ストレッチフィルムも、従来から包装用ストレッチフィルムの製造に使用されている装置を用いて製造することが出来る。図１７を用いてその一例を説明する。
【０１４９】
（挟込み工程）
第一の着色部１５３になる延伸前の包装用ストレッチフィルム７１a（ＬＬＤＰＥ製で、白色で、延伸される前の肉厚５〜１２ミクロンという極薄）の原反６１ａが、ブレーキ装置６３を備えている原反フィルムホルダー６５に装着されている。
【０１５０】
第二の着色部１５２になる延伸前の色付帯フィルム（ＬＬＤＰＥ製で、赤色で、延伸される前の肉厚５〜１２ミクロンという極薄）の原反６７が、がブレーキ装置６８を備えている原反フィルムホルダー６９に装着されている。
【０１５１】
延伸前の包装用ストレッチフィルム７２（ＬＬＤＰＥ製で肉厚１７ミクロン）の原反６２が、ブレーキ装置６４を備えている原反フィルムホルダー６６に装着されている。
【０１５２】
原反フィルムホルダー６５から巻き出された、第一の着色部１５３になる延伸前の包装用ストレッチフィルム７１aと、原反フィルムホルダー６６から巻き出された包装用ストレッチフィルム７２との間に、原反フィルムホルダー６９から巻き出された色付帯フィルム７３が挟み込まれる。
【０１５３】
原反フィルムホルダー６６から巻き出される包装用ストレッチフィルム７２は延伸工程を経て、横幅が、例えば、５００ｍｍとなる横幅を備えている。
【０１５４】
原反フィルムホルダー６５から巻き出される、第一の着色部１５３になる包装用ストレッチフィルム７１aは、延伸工程を経て、横幅が、包装用ストレッチフィルム７２の横幅より小さくなる（すなわち５００ｍｍ未満となる）横幅を備えている。
【０１５５】
原反フィルムホルダー６９から巻き出される色付帯フィルム７３は、延伸工程を経て、横幅が、第一の着色部１５３になる包装用ストレッチフィルム７１aの横幅より小さくなる横幅を備えている。ただし、識別標識になるように、横幅４０ｍｍを越えていることが望ましい。
【０１５６】
そこで、原反フィルムホルダー６９から巻き出される色付帯フィルム７３は、延伸工程を経て横幅が４０ｍｍ〜５０ｍｍとなり、原反フィルムホルダー６５から巻き出される、第一の着色部１５３になる包装用ストレッチフィルム７１aは、延伸工程を経て横幅が８０ｍｍ〜１００ｍｍとなるようにすることができる。
【０１５７】
（延伸工程）
無色透明な包装用ストレッチフィルム７２と、第一の着色部１５３になる白色の包装用ストレッチフィルム７１ａとの間に、色付帯フィルム７３が挟み込まれている全体が、従来公知のロール状の圧着ロール７０で押圧され、一軸方向又は二軸方向に延伸加工される。ここでも、例えば、図１０に符号２５で図示し、後述の実施形態で説明されている一対の延伸ロールなどを用いることができる。
【０１５８】
こうして、無色透明な包装用ストレッチフィルム７２と、第一の着色部１５３になる白色の包装用ストレッチフィルム７１ａとの間に、色付帯フィルム７３が挟み込まれている全体（包装用ストレッチフィルム７４）の肉厚を、少なくとも、無色透明な包装用ストレッチフィルム７２の肉厚と、第一の着色部１５３になる白色の包装用ストレッチフィルム７１ａの肉厚との合計の半分以下に延伸する。
【０１５９】
（巻取り工程）
引き続き、不図示の巻き取りロールによりロール状に巻き取る。
【０１６０】
上述した延伸工程で、例えば、長手方向に３倍に延伸し、これに直交する横手方向に１．５倍に延伸することで、全体（包装用ストレッチフィルム７４）の肉厚が９ミクロンの図１４図示の包装用ストレッチフィルム１５４を製造することができる。
【０１６１】
上述した延伸工程を経てこの実施形態の包装用ストレッチフィルム１５４を製造するので、包装用ストレッチフィルム７１ａ、包装用ストレッチフィルム７２、色付帯フィルム７３は、同等の伸び特性を備えていることが望ましい。
【０１６２】
例えば、上述したように、包装用ストレッチフィルム７１ａ、包装用ストレッチフィルム７２、色付帯フィルム７３を同材質にすることができる。
【０１６３】
このように２枚の包装用ストレッチフィルムの間に着色部を形成する色付帯フィルムが挟み込まれている積層構造であっても、これを、一軸方向又は二軸方向に延伸し、２枚の包装用ストレッチフィルムの間に着色部を形成する色付帯フィルムが挟み込まれている積層構造の肉厚を、少なくとも２枚の包装用ストレッチフィルムの合計の肉厚の半分以下に延伸している。
【０１６４】
このように延伸することで単位当たりの強度が向上する。そこで、より肉薄の構造にすることも可能である。
【０１６５】
また、２枚の包装用ストレッチフィルムの間に着色部を形成する色付帯フィルムが挟み込まれている積層構造にして延伸する際、ロール状で圧着ロールで押圧する実施形態にすると、２枚の包装用ストレッチフィルムとこの間に挟み込まれている着色部を形成する色付帯フィルムとが完全に密着し、はがれることが無くなる。
【０１６６】
なお、原反フィルムホルダー６５に装着されている延伸前の包装用ストレッチフィルム７１ａも、原反フィルムホルダー６６に装着されている延伸前の包装用ストレッチフィルム７２も、従来公知の包装用ストレッチフィルムであるので、表面が粘着性を有している。
【０１６７】
そこで、第二の着色部５２、５３ａ、５６を形成する色付帯フィルム７３をそのまま添付することで着色部を備えている包装用ストレッチフィルムとすることもできる。
【０１６８】
すなわち、上述した「挟込み工程」⇒「延伸工程」⇒「巻取り工程」を経て図１４図示の包装用ストレッチフィルム１５４を製造するのに替えて、「延伸工程」を採用せず、包装用ストレッチフィルムの表面の粘着性を利用して、「挟込み工程」⇒「巻取り工程」で経て図１４図示の包装用ストレッチフィルム１５４を製造することもできる。
【０１６９】
（包装用ストレッチフィルムの実施形態３及び、包装用ストレッチフィルムの巻体の実施形態）
図７〜図９は、この実施形態の包装用ストレッチフィルム５４ａと、この実施形態の包装用ストレッチフィルム５４ａが、後述する包装用ストレッチフィルムの巻体の巻き取り製造方法によって、円筒状の中空の巻き芯２に、ロール状に巻かれてなる、この実施形態の包装用ストレッチフィルムの巻体８１、９１を説明するものである。この実施形態の包装用ストレッチフィルム５４ａが、後述する包装用ストレッチフィルムの巻体の巻き取り製造方法によって、円筒状の中空の巻き芯２に、ロール状に巻かれてなる、この実施形態の包装用ストレッチフィルムの巻体８１、９１が図７（ａ）、図８（ａ）に図示されている。
【０１７０】
極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、包装用ストレッチフィルム５４ａが、後述する包装用ストレッチフィルムの巻体の巻き取り製造方法によって、円筒状の中空の巻き芯２に、ロール状に巻かれてなる、包装用ストレッチフィルムの巻体８１（図７（ａ））、９１（図８（ａ））である。
【０１７１】
図７（ａ）図示の実施形態では、円筒状の中空の巻き芯２に、上記の実施の形態で説明した、包装用ストレッチフィルム５４の長手方向に直線状に伸びる着色部５７が、その横手方向における中央部に形成されている形態の包装用ストレッチフィルム５４ａが巻き取られている。
【０１７２】
図８（ａ）図示の実施形態では、円筒状の中空の巻き芯２に、上記の実施の形態で説明した、包装用ストレッチフィルム５４の長手方向に屈曲状に伸びる着色部５８が、その横手方向における中央部に形成されている形態の包装用ストレッチフィルム５４ａが巻き取られている。
【０１７３】
図７、図８図示の包装用ストレッチフィルム５４ａは、更に、その長手方向に連続して、肉厚の異なる部分を、包装用フィルム５４ａの横手方向に複数備えていることで、積層されて巻層１３を形成する包装用ストレッチフィルム同士の間に、包装用ストレッチフィルムの長手方向に連続している空気層１７ａ、１７ｂ、１７ｃ、１７ｄが、包装用ストレッチフィルム１４の横手方向で複数存在しているものである（図９）。
【０１７４】
図９は、積層されて巻層１３を形成している包装用ストレッチフィルム５４ａの外周（外径）側の構造を説明する一部を省略した断面図である。図９において上側が巻体８１、９１の外径側、下側が巻体８１、９１の内径側になる。
【０１７５】
積層されて巻層１３を形成している包装用ストレッチフィルム５４ａ（図９）において一番外側に巻かれている包装用ストレッチフィルム５４ａは、その横手方向における端縁部である側縁部１８ａから横手方向で内側に向かうにしたがって、薄肉部１５ｇ、厚肉部１５ｃ、薄肉部１５ｆ、厚肉部１５ｂ、薄肉部１５ｅ、厚肉部１５ａ、薄肉部１５ｄを備えている。
【０１７６】
同様に、積層されて巻層１３を形成している包装用ストレッチフィルム５４ａ（図９）において径方向で包装用ストレッチフィルム５４ａの内径側になっている包装用ストレッチフィルム５４ｂは、その横手方向における端縁部である側縁部１８ｂから横手方向で内側に向かうにしたがって、薄肉部１６ｇ、厚肉部１６ｃ、薄肉部１６ｆ、厚肉部１６ｂ、薄肉部１６ｅ、厚肉部１６ａ、薄肉部１６ｄを備えている。
【０１７７】
図７、図８図示の実施形態の包装用ストレッチフィルム５４ａは、その長手方向に連続している厚肉部と、薄肉部とを、包装用ストレッチフィルム５４ａの横手方向に交互に備えている。
【０１７８】
これが、後述する包装用ストレッチフィルムの巻体の巻き取り製造方法によって、円筒状の中空の巻き芯２に、ロール状に巻かれてなる、この実施形態の包装用ストレッチフィルムの巻体８１、９１（図７（ａ）、図８（ａ））になっている。
【０１７９】
この結果、包装用ストレッチフィルム５４ａが巻き芯２に巻き取られる、等してロール状の巻き体となったときには、積層されて巻層１３を形成する包装用ストレッチフィルム同士の間に包装用ストレッチフィルムの長手方向に連続している空気層１７ａ、１７ｂ、１７ｃ、１７ｄが、包装用ストレッチフィルム５４ａの横手方向で存在する構造になっている。
【０１８０】
この結果、図７（ｂ）、図８（ｂ）図示のように、長手方向における先端側５を固定的につかんで、包装用ストレッチフィルムの巻体８１、９１から包装用ストレッチフィルム５４ａを剥がし、引き出して使用する際、一番外側（外周側）の包装用ストレッチフィルム５４ａと、それより一層内周側の包装用ストレッチフィルム５４ｂとの間に空気層１７ａ、１７ｂ、１７ｃ、１７ｄが存在していることから、包装用ストレッチフィルム５４ａを剥がしやすく、引き出しやすくなっている。
【０１８１】
また、この実施形態の包装用ストレッチフィルム５４ａは、上記の実施の形態で説明した、長手方向に直線状に伸びる着色部５７、長手方向に屈曲して伸びる着色部５８が、その横手方向における中央部に形成されている形態の包装用ストレッチフィルムである（図７、図８）。
【０１８２】
そこで、図７（ｂ）、図８（ｂ）図示のように、長手方向における先端側５５を固定的につかんで、包装用ストレッチフィルムの巻体８１、９１から包装用ストレッチフィルム５４ａを剥がし、引き出して使用し、物品などに巻きつけて当該物品などを梱包、包装すると、識別用の着色部５７、５８が存在していることにより、いかなる物品が梱包、包装されているのか識別することができる。この際、着色部５７、５８は、包装用ストレッチフィルム５４ａの横手方向の一部にしか形成されておらず、着色部５７、５８以外の部分は無色透明であるので、物品に何回も巻きつけられて、何重にも積層され、当該物品を梱包、包装する場合であっても、着色部５７、５８以外の無色透明部分を介して、梱包、包装された物品を外部から視認することができる。
【０１８３】
なお、この実施形態では、  包装用ストレッチフィルム５４ａが、その長手方向に連続している、肉厚の異なる部分（厚肉部１５ａ、等と、薄肉部１５ｄ、等）を包装用ストレッチフィルム５４ａの横手方向に複数備えていることで、積層されて巻層１３を形成する包装用ストレッチフィルム同士の間に包装用ストレッチフィルム５４ａの長手方向に連続している空気層１７ａ、等が、包装用ストレッチフィルム５４ａの横手方向で複数形成されている構造で説明した。
【０１８４】
図示していないが、このような構造に替えて、包装用ストレッチフィルム５４ａが、その長手方向に断続して肉厚の異なる部分を、包装用ストレッチフィルム５４ａの横手方向に複数備えていることで、積層されて巻層１３を形成するストレッチフィルム同士の間に、包装用ストレッチフィルム５４ａの長手方向に断続的に形成されている空気層が、包装用ストレッチフィルム５４ａの横手方向で複数形成されている構造にしても、図７（ｂ）、図８（ｂ）図示のように、長手方向における先端側５５を固定的につかんで、包装用ストレッチフィルムの巻体８１、９１から包装用ストレッチフィルム５４ａを剥がし、引き出して使用する際、一番外側（外周側）の包装用ストレッチフィルムと、それより一層内周側の包装用ストレッチフィルムとの間に空気層が存在していることで、包装用ストレッチフィルムを剥がしやすく、引き出しやすくすることができる。
【０１８５】
（包装用ストレッチフィルムの製造方法の実施形態３及び、包装用ストレッチフィルムの巻体の巻き取り製造方法の実施形態）
この実施形態の包装用ストレッチフィルムの製造方法は、上述した図７〜図９を用いて説明した実施形態の包装用ストレッチフィルム５４ａを製造する方法の一例である。
【０１８６】
また、この実施形態の包装用ストレッチフィルムの巻体の巻き取り製造方法は、極薄（例えば、肉厚６〜３０μｍ程度）で、長尺になる長手方向の長さが３００ｍ〜５００ｍ程度、長手方向に直交する方向である横手方向の大きさ、すなわち、幅が３００ｍｍ〜５００ｍｍ程度の、包装用ストレッチフィルムを、図７（ａ）、図８（ａ）図示のように、ロール状に巻き取る包装用ストレッチフィルムの巻体８１、９１の巻き取り製造方法である。
【０１８７】
この実施形態では、無色透明な２枚の極薄の第一の包装用ストレッチフィルムと第二の包装用ストレッチフィルムとの間に当該第一、第二の包装用ストレッチフィルムと同材質で、当該第一、第二の包装用ストレッチフィルムの長手方向に伸びる極薄の色付帯フィルムを挟み込む挟込み工程を最初に行っている。
【０１８８】
あるいは、無色透明な極薄の第一の包装用ストレッチフィルムと、有色で前記第一の包装用ストレッチフィルムよりも横手方向における幅が小さく極薄な第三の包装用ストレッチフィルムとの間に、当該第一、第三の包装用ストレッチフィルムと同材質で、当該第一、第三の包装用ストレッチフィルムの前記横手方向に直交する長手方向に伸びる、極薄で、前記第三の包装用ストレッチフィルムの前記横手方向における幅より小さい前記横手方向の幅を有し、前記第三の包装用ストレッチフィルムの色とは異なる色を呈する色付帯フィルムを挟み込む、挟込み工程を最初に行っている。
【０１８９】
若しくは、無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、その上から、加熱媒体を当てて、部分的に、有色の第四の包装用ストレッチフィルムを溶着する工程を最初に行っている。
【０１９０】
引き続いて一軸方向又は二軸方向への延伸加工を行って包装用ストレッチフィルムの長手方向に連続している肉厚の異なる部分を前記包装用ストレッチフィルムの横手方向に複数、あるいは、前記長手方向に断続して形成される肉厚の異なる部分を前記包装用ストレッチフィルムの横手方向に複数成形すると共に、前記包装用ストレッチフィルムの間に前記色付帯フィルムが挟み込まれている全体の肉厚を、少なくとも前記２枚の包装用ストレッチフィルムの肉厚の合計の半分以下に延伸する。
【０１９１】
あるいは、引き続いて一軸方向又は二軸方向への延伸加工を行って包装用ストレッチフィルムの長手方向に連続している肉厚の異なる部分を前記包装用ストレッチフィルムの横手方向に複数、あるいは、前記長手方向に断続して形成される肉厚の異なる部分を前記包装用ストレッチフィルムの横手方向に複数成形すると共に、前記第一の包装用ストレッチフィルムと前記第三の包装用ストレッチフィルムとの間に前記色付帯フィルムが挟み込まれている全体の肉厚を、少なくとも前記第一の包装用ストレッチフィルムの肉厚と前記第三の包装用ストレッチフィルムの肉厚との合計の半分以下に延伸する。
【０１９２】
若しくは、引き続いて一軸方向又は二軸方向への延伸加工を行って、前記横手方向に直交している長手方向に連続している肉厚の異なる部分を前記横手方向に複数、あるいは、前記長手方向に断続して形成される肉厚の異なる部分を前記横手方向に複数成形する延伸工程を行う。
【０１９３】
この延伸工程後、ロール状に巻き取ることで、積層されて巻層を形成するフィルム同士の間に、前記長手方向に連続している空気層を前記横手方向で複数、あるいは、前記長手方向で断続的に形成されている空気層を前記横手方向で複数存在させている包装用ストレッチフィルムの巻体を巻き取り製造するものである。
【０１９４】
前記において、一軸方向又は二軸方向への延伸加工を行って包装用ストレッチフィルムの長手方向に連続している肉厚の異なる部分を前記包装用ストレッチフィルムの横手方向に複数形成する工程は、前記包装用ストレッチフィルムの長手方向に連続している凹凸部を前記包装用ストレッチフィルムの横手方向に複数形成するものにできる。
【０１９５】
また、前記において、一軸方向又は二軸方向への延伸加工を行って前記包装用ストレッチフィルムの長手方向に肉厚の異なる部分を断続して、前記包装用ストレッチフィルムの横手方向に複数形成する工程は、前記包装用ストレッチフィルムの間に前記色付帯フィルムが挟み込まれている全体に対してエンボス加工を施すことで形成するようにできる。
【０１９６】
また、一軸方向又は二軸方向への延伸加工を行って前記包装用ストレッチフィルムの長手方向に肉厚の異なる部分を断続して、前記包装用ストレッチフィルムの横手方向に複数形成する工程は、前記包装用ストレッチフィルムの間に前記色付帯フィルムが挟み込まれている全体に対して所定形状の押型を押圧することで形成することができる。
【０１９７】
更に、前記一軸方向又は二軸方向への延伸加工を行って前記包装用ストレッチフィルムの長手方向に連続している肉厚の異なる部分を、前記包装用ストレッチフィルムの横手方向に複数形成する工程は、前記包装用ストレッチフィルムの間に前記色付帯フィルムが挟み込まれている全体に対して部分的な延伸加工を施すことで形成することもできる。
【０１９８】
この場合、前記部分的な延伸加工は、それぞれ外周突条部と外周溝条部とを中心軸が伸びる方向で交互に備えていて前記中心軸を中心にして回動する一対の円筒状延伸ローラが、一方の前記円筒状延伸ローラの前記外周突条部が、他方の前記円筒状延伸ローラの前記外周溝条部に噛みあう構造で配置されてなる延伸ローラに対して、前記２枚の包装用ストレッチフィルムの間に前記色付帯フィルムが挟み込まれている全体が前記長手方向で挿通されることで行われるようにできる。
【０１９９】
この場合、前記一対の円筒状延伸ローラは、前記包装用ストレッチフィルムの間に前記色付帯フィルムが挟み込まれている全体が長手方向に挿通していく方向において、上流側と、下流側とに配置され、下流側の前記円筒状延伸ローラの方が、上流側の前記円筒状延伸ローラよりも高い周速度で回転する形態にすることが出来る。
【０２００】
図６、図１０を用いて、上述した製造工程に採用する装置の一例の概略構成を表す。
【０２０１】
図１０（ａ）の右端側には、図示を省略しているが、図６で説明した、延伸前の包装用ストレッチフィルム７１（ＬＬＤＰＥ製で肉厚１７ミクロン）の原反６１がブレーキ装置６３を備えている原反フィルムホルダー６５に装着され、延伸前の極薄の色付帯フィルム７３（ＬＬＤＰＥ製で肉厚１７ミクロン）の原反６７がブレーキ装置６８を備えている原反フィルムホルダー６９に装着され、延伸前の包装用ストレッチフィルム７２（ＬＬＤＰＥ製で肉厚１７ミクロン）の原反６２がブレーキ装置６４を備えている原反フィルムホルダー６６に装着されている。
【０２０２】
原反フィルムホルダー６５から巻き出された包装用ストレッチフィルム７１と、原反フィルムホルダー６６から巻き出された包装用ストレッチフィルム７２との間に、原反フィルムホルダー６９から巻き出された色付帯フィルム７３が挟み込まれる。
【０２０３】
こうして、包装用ストレッチフィルム７１と、包装用ストレッチフィルム７２との間に、色付帯フィルム７３が挟み込まれている状態で、一対の延伸ロール２５によって延伸が行われる。
【０２０４】
なお、図１８〜図２０を用いて説明したように、無色透明な１枚の極薄の第一の包装用ストレッチフィルムに、有色で前記第一の包装用ストレッチフィルムよりも横手方向における幅が小さく極薄な１枚の第四の包装用ストレッチフィルムを積層し、その上から、加熱媒体を当てて、部分的に、有色の第四の包装用ストレッチフィルムを溶着した状態で、一対の延伸ロール２５によって延伸が行われる形態にすることもできる。
【０２０５】
一対の延伸ロール２５は、例えば、一対のエンボスロール、一対のギヤロール、一対の溝付きローラにすることができる。
【０２０６】
一対の延伸ロール２５は、延伸ロール用駆動モータ２３と、一対の延伸ロール２５を連動させる駆動ギヤ２４によって駆動される。一対の延伸ロール２５におけるロール間での延伸比は、例えば、組み合わせギヤで設定される。
【０２０７】
一対の延伸ロール２５が一対のギヤロールで構成される場合について図１１を参照して説明する。
【０２０８】
図１１図示の一対のギヤロールは、高速側ギヤ２５ａと、低速側ギヤ２５ｂとが組み合わされているもので、例えば、それぞれのギヤロール外径を１５０ｍ／ｍφ、溝深さを１５ｍｍ、間隔（Ｐ）を１５ｍｍ、減速比１．０〜３．０に設定することができる。
【０２０９】
図１１中、符号Ａで示す箇所では、低速側ギヤ２５ｂの凸部で押さえられることで横手方向への延伸が起こりにくい。一方、図１１中、符号Ｂで示す箇所では、高速側ギヤ２５ａで誘導されることで横手方向への延伸が生じる。この結果、図１１の符号Ａで示す箇所を通過する包装用ストレッチフィルム部分は、図１１の符号Ｂで示す箇所を通過する包装用ストレッチフィルム部分に比較して断面が厚く（肉厚）、図１１の符号Ｂで示す箇所を通過する包装用ストレッチフィルム部分は、図１１の符号Ａで示す箇所を通過する包装用ストレッチフィルム部分に比較して断面が薄く（肉薄）になる。
【０２１０】
これによって、包装用ストレッチフィルムの長手方向に連続している肉厚の異なる部分を、横手方向に複数成形することができる。
【０２１１】
一対のギヤロールを形成する高速側ギヤ２５ａ、低速側ギヤ２５ｂの面速、かみ込み（ＧＡＰ）により延伸比が大きくなる。
【０２１２】
図１０（ａ）図示の一対の円筒状の延伸ロール２５では、例えば、巻き取りが行われる前の包装用ストレッチフィルムが長手方向に挿通していく方向において、図１０（ａ）図示のように、上流側と、下流側とに配置されている一対の円筒状の延伸ロール２５の中の下流側の延伸ローラ２５の方が、上流側の延伸ローラ２５よりも高い周速度で回転する構成にすることができる。
【０２１３】
図１２を参照して、エンボス加工で、包装用ストレッチフィルムの長手方向に断続的に肉厚の異なる部分を、横手方向で複数成形する一例を説明する。
【０２１４】
図１２図示の一対のギヤロールは、一対のエンボスロール２５ｃ、２５ｄによって形成されている（図１２（ａ））。エンボスロール２５ｃ、２５ｄが合致したときには図１２（ｂ）図示のようになり、エンボスロール２５ｃ、２５ｄがずれたときには図１２（ｃ）図示のようになって、エンボスの凹凸により、包装用ストレッチフィルムの表面に肉厚の異なる部分が、包装用ストレッチフィルムの長手方向に断続的に、包装用ストレッチフィルムの横手方向で複数成形される。
【０２１５】
図１３を参照して、エンボスギヤ加工で、包装用ストレッチフィルムの長手方向に断続的に肉厚の異なる部分を、横手方向で複数成形する一例を説明する。
【０２１６】
図１３図示のエンボスギヤ加工によれば、長手方向（回転方向）への延伸がギヤの凹凸によって行われ、切欠き溝部は延伸されず、肉厚の部分となる。
【０２１７】
上述したようにして、長手方向に連続している肉厚の異なる部分が、横手方向で複数成形された報償用ストレッチフィルム、あるいは、長手方向に断続的に肉厚の異なる部分が、横手方向で複数成形された包装用ストレッチフィルムは、引き続き、フィルム拡張部に送られる。
【０２１８】
図１０図示の実施形態では、まず、一対の延伸ロール２５の下流側に配置されているしわ取り及びフィルム拡張ガイドロール２６によってフィルム拡張が行われる。
【０２１９】
図示の実施形態のしわ取り及びフィルム拡張ガイドロール２６は、中央の外径が連続的に小さくなっている複数のつつみ状ゴムロールによって構成されている。
【０２２０】
しわ取り及びフィルム拡張ガイドロール２６の下流側には引き続いて一対の延伸ロール２７が配置されている。一対の延伸ロール２７は、例えば、ゴムロールであって、図１０（ｂ）の上側の低速側ロール、下側の高速側ロールからなり（ロール間の隙間は、例えば、１〜５ｍｍ）、長手方向への延伸が行われる。
【０２２１】
ここでの長手方向への延伸は、例えば、一対の延伸ロール２５での処理が、エンボスロールによるものであって、包装用ストレッチフィルムの長手方向に断続的に肉厚の異なる部分を、横手方向で複数成形するものである場合、このような処理が行われた後の包装用ストレッチフィルムを長手方向に延伸させるものになる。
【０２２２】
また、一対の延伸ロール２５での処理が、エンボスロール以外のものによる場合、一対の延伸ロール２７での延伸処理は、長手（縦）方向（ＭＤ）、二軸横手方向（ＴＤ）への物性を最適にするための延伸処理になる。
【０２２３】
一対の延伸ロール２７は、駆動モータ２９によって回転駆動され、一対の延伸ロール２７の下流側に位置している、駆動連動ギヤ２８によって連動される一対のニップロール３０によって、長手方向への延伸が行われた包装用ストレッチフィルムが引き取られていく。図中、符号３１は巻き取り軸、紙管ホルダーである。
【０２２４】
その後、巻き取り駆動モータ３３で駆動される巻き取りロール３２に巻き取られていく。
【０２２５】
このようにして、上述した図７〜図９を用いて説明した実施形態の包装用ストレッチフィルム５４ａが製造される。
【０２２６】
また、図７〜図９を用いて説明したこの実施形態の包装用ストレッチフィルムの巻体８１、９１が巻き取り製造される。
【０２２７】
プラスチックは、延伸させることにより収縮という現象が起きる。これを利用して、プラスチックフィルムに筋を入れ、これを延伸することで、筋部（厚い部分）と筋の谷間（薄い部分）での延伸後の収縮差を利用してプラスチックフィルムにちじれ、皺を発生させ、このようなプラスチックフィルムから作成する紐にボリューム感、ソフト感を持たせる技術は公知である（非特許文献１）。
【０２２８】
上述した、巻き取りが行われる前の包装用ストレッチフィルムに対して部分的な延伸加工を施しながら包装用ストレッチフィルムの長手方向に連続している肉厚の異なる部分を、横手方向に複数成形する工程は、この技術を利用するものである。
【０２２９】
こうして、ロール状への巻き取りが行われる前の、２枚の包装用ストレッチフィルムの間に同材質からなる色付帯フィルムが挟み込まれているものに対して、一軸方向又は二軸方向への延伸加工を行って２枚の包装用ストレッチフィルムの長手方向に連続している肉厚の異なる部分を２枚の包装用ストレッチフィルムの横手方向に複数、あるいは、長手方向に断続して形成される肉厚の異なる部分を２枚の包装用ストレッチフィルムの横手方向に複数成形すると共に、２枚の包装用ストレッチフィルムの間に色付帯フィルムが挟み込まれている全体の肉厚を、少なくとも前記２枚の包装用ストレッチフィルムの肉厚の合計の半分以下に延伸するようにしたものである。
【０２３０】
図６、図１０〜図１３を参照して上述したように、一対のエンボスロール、一対のギヤロール、一対の溝付きローラ一などからなる一対の延伸ロール２５による延伸、しわ取り及びフィルム拡張ガイドロール２６によるフィルム拡張、一対の延伸ロール２７による長手方向への延伸によって、例えば、図１０（ａ）の右側である原反フィルム繰り出し側に繰り出し回転可能にセットされている従来の包装用ストレッチフィルムの巻体に巻かれている包装用ストレッチフィルムが、それぞれ、肉厚２３μｍ、幅２５０ｍｍで、色付帯フィルムが肉厚２３μｍ、幅１０ｍｍであるときに、幅方向に２倍、長手方向に２倍に延伸し、肉厚１２μｍ、幅５００ｍｍで、長手方向に連続している肉厚の異なる部分が横手方向に複数成形されていて、横手方向の一部に長手方向にわたって伸びる着色部を備えている包装用ストレッチフィルムにし、これを、巻取機で巻き取って、図７〜図９を用いて説明したこの実施形態の包装用ストレッチフィルムの巻体１１を巻き取り製造することができる。
【０２３１】
また、上述したように、実施形態の包装用ストレッチフィルムの巻体８１、９１を巻き取り製造すると、筒状の巻芯に巻き付けたロール状の包装用ストレッチフィルムの巻体の側縁部（図９に符号１８ａ、１８ｂ、１８ｃ、１８ｄで示す部分）は延伸を受けずに、原反フィルム繰り出し側に繰り出し回転可能にセットされている従来の包装用ストレッチフィルムの巻体に巻かれている従来の長尺ストレッチフィルムの肉厚をほぼ維持できる。そこで、筒状の巻芯に巻き付けたロール状の包装用ストレッチフィルムの巻体の側縁部の傷、ダメージなどにより、引き出して使用する際に破断が生じるおそれを減少させることができる。
【０２３２】
以上、この発明の実施形態を添付図面を参照して説明したが、この発明は、上述した実施形態に限られず、特許請求の範囲の記載から把握される技術的範囲において種々に変更可能である。
【０２３３】
例えば、上述したように、ロール状への巻き取りが行われる前の包装用ストレッチフィルムに対して包装用ストレッチフィルムの長手方向に連続して肉厚の異なる部分を複数成形することに替えて、長手方向に断続して肉厚の異なる部分を複数成形するようにすることができる。
【０２３４】
この場合には、例えば、巻き取りが行われる前の包装用ストレッチフィルムに対してエンボス加工したり、巻き取りが行われる前の包装用ストレッチフィルムに対して所定形状の押型を押圧することなどによって、包装用フィルムの長手方向に断続して肉厚の異なる部分を複数成形することができる。
【０２３５】
また、着色部５２、５３ａ、５３ｂ、５６、５７、５８を形成すべく、延伸される前の２枚の包装用ストレッチフィルムに挟み込まれて、２枚の包装用ストレッチフィルムと共に一軸方向又は二軸方向への延伸加工を受ける色付帯フィルムの色として赤色、青色、黄色、等複数の標準色をそれぞれ用いることで、無色透明な包装用ストレッチフィルムの横手方向における一部に、当該包装用ストレッチフィルムの長手方向に伸びる標準色からなる着色部を備えている包装用ストレッチフィルムを提供することができるので、これを物品の包装、梱包に用いることで、工場、生産、物量の仕分け、プロット管理が容易になる。
【符号の説明】
【０２３６】
２    円筒状の中空の巻き芯
１５ｄ、１５ｅ、１５ｆ、１５ｇ、１６ｄ、１６ｅ、１６ｆ、１６ｇ  肉薄部
１５ａ、１５ｂ、１５ｃ、１６ａ、１６ｂ、１６ｃ  肉厚部
１７ａ、１７ｂ、１７ｃ、１７ｄ空気層
１８ａ  １８ｂ  包装用ストレッチフィルムの横手方向における側縁部
２３  延伸ロール用駆動モータ
２４  駆動ギヤ
２５  一対の延伸ロール
２５ａ  高速側ギヤ
２５ｂ  低速側ギヤ
２５ｃ、２５ｄ  一対のエンボスロール
２６  しわ取り及びフィルム拡張ガイドロール
２７  一対の延伸ロール
２８  駆動連動ギヤ
２９  駆動モータ
３０  一対のニップロール
３１  巻き取り軸、紙管ホルダー
３３  巻き取り駆動モータ
３２  巻き取りロール
５１、６１、７１、８１、９１、１５１、１６１、１７１  包装用ストレッチフィルムの巻体
５２  ５３ａ、５３ｂ、５６  着色部
５４、５４ａ、１５４  包装用ストレッチフィルム
６２  原反
６３  ブレーキ装置
６４、６８  ブレーキ装置
６５、６６、６９  原反フィルムホルダー
６７  原反
７０  圧着ロール
７１、７１ａ  延伸前の包装用ストレッチフィルム
７３  延伸前の極薄の色付帯フィルム
７２  延伸前の包装用ストレッチフィルム
１５３  第一の着色部
１５２、１５３ａ、１５６  第二の着色部
【図１】
2019151403.tif 000003
【図２】
2019151403.tif 000004
【図３】
2019151403.tif 000005
【図４】
2019151403.tif 000006
【図５】
2019151403.tif 000007
【図６】
2019151403.tif 000008
【図７】
2019151403.tif 000009
【図８】
2019151403.tif 000010
【図９】
2019151403.tif 000011
【図１０】
2019151403.tif 000012
【図１１】
2019151403.tif 000013
【図１２】
2019151403.tif 000014
【図１３】
2019151403.tif 000015
【図１４】
2019151403.tif 000016
【図１５】
2019151403.tif 000017
【図１６】
2019151403.tif 000018
【図１７】
2019151403.tif 000019
【図１８】
2019151403.tif 000020
【図１９】
2019151403.tif 000021
【図２０】
2019151403.tif 000022